(57)【特許請求の範囲】
【請求項１】
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有するパワーレスのプリズムである反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（１）、（２２）を満足することを特徴とする撮像装置。
４．５≦｜ｆ1Po｜×ｆ1Pi／ＩＨt2≦７．５      （１）
５．６≦ｔａｎωw／（Ｌpri／Ｌw）≦  ９．５      ・・・（２２）
ただし、
ｆ1Poは、前記第１正レンズ群物体側系の焦点距離、
ｆ1Piは、前記第１正レンズ群像側系の焦点距離、
ＩＨtは、望遠端において無限遠物体に合焦した時の最大像高、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【請求項２】
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（２）、（３）を満足することを特徴とする撮像装置。
０．７≦ｔａｎωw−（Ｌpri／Ｌw）≦１．３      （２）
３．５≦ＤＴ／（ｆ1Po／ＩＨt）≦１６      （３）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ｆ1Poは、前記第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
である。
【請求項３】
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有するパワーレスのプリズムである反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（４）、（５−１）、（２２）を満足することを特徴とする撮像装置。
４．２≦｜（ｆ1Po／ＩＨt）×（ｆ1P／ＩＨt）／ｔａｎωw｜≦１１．６      （４）
５．６≦｜（ｆ1Po／ｆw）×（ｆ1P／ｆw）｜≦１１．０      （５−１）
５．６≦ｔａｎωw／（Ｌpri／Ｌw）≦  ９．５      ・・・（２２）
ただし、
ｆ1Poは、前記第１正レンズ群物体側系の焦点距離、
ｆ1Pは、前記第１正レンズ群の焦点距離、
ＩＨtは、望遠端において無限遠物体に合焦した時の最大像高、
ωwは、広角端において無限遠物体に合焦した時の最大半画角、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【請求項４】
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（１）、（６）を満足することを特徴とする撮像装置。
４．５≦｜ｆ1Po｜×ｆ1Pi／ＩＨt2≦７．５      （１）
１．０≦｜（ｆ1Po／ＩＨt）／（ｔａｎωw）2｜≦３．７      （６）
ただし、
ｆ1Poは、前記第１正レンズ群物体側系の焦点距離、
ｆ1Piは、前記第１正レンズ群像側系の焦点距離、
ＩＨtは、望遠端において無限遠物体に合焦した時の最大像高、
ωwは、広角端において無限遠物体に合焦した時の最大半画角、
である。
【請求項５】
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（１）、（５）、（７）を満足することを特徴とする撮像装置。
４．５≦｜ｆ1Po｜×ｆ1Pi／ＩＨt2≦７．５      （１）
５．６≦｜（ｆ1Po／ｆw）×（ｆ1P／ｆw）｜≦１１．５      （５）
１．５≦（Ｌpri／ＩＨt）×（ｆw／ＩＨt）／ｔａｎωw≦２．８      （７）
ただし、
ｆ1Poは、前記第１正レンズ群物体側系の焦点距離、
ｆ1Piは、前記第１正レンズ群像側系の焦点距離、
ｆ1Pは、前記第１正レンズ群の焦点距離、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
ＩＨtは、望遠端において無限遠物体に合焦した時の最大像高、
ωwは、広角端において無限遠物体に合焦した時の最大半画角、
である。
【請求項６】
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（５−１）、（８）、（９）を満足することを特徴とする撮像装置。
５．６≦｜（ｆ1Po／ｆw）×（ｆ1P／ｆw）｜≦１１．０      （５−１）
０．７≦｜ｆn／ＩＨt｜≦４．０      （８）
１．２≦｜ｆ1Po／ＩＨt｜≦３．６      （９）
ただし、
ｆ1Poは、前記第１正レンズ群物体側系の焦点距離、
ｆ1Pは、前記第１正レンズ群の焦点距離、
ｆwは、広角端において無限遠物体に合焦した時の前記ズームレンズ全系の焦点距離、
ｆnは、前記ズームレンズに含まれる各々のレンズ群の焦点距離であって、前記各々のレンズ群は、変倍時の移動または静止によって特定され、
ＩＨtは、望遠端において無限遠物体に合焦した時の最大像高、
である。
【請求項７】
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（２）、（１０）を満足することを特徴とする撮像装置。
０．７≦ｔａｎωw−（Ｌpri／Ｌw）≦１．３      （２）
１．２≦｜ｆ1Po／ｆw｜≦２．９      （１０）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ｆ1Poは、前記第１正レンズ群物体側系の焦点距離、
ｆwは、広角端において無限遠物体に合焦した時の前記ズームレンズ全系の焦点距離、
である。
【請求項８】
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有するパワーレスのプリズムである反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
ωw≧４２度であり、
以下の条件式（３）、（２２）を満足することを特徴とする撮像装置。
３．５≦ＤＴ／（ｆ1Po／ＩＨt）≦１６      （３）
５．６≦ｔａｎωw／（Ｌpri／Ｌw）≦  ９．５      ・・・（２２）
ただし、
ωwは、広角端において無限遠物体に合焦した時の最大半画角、
ｆ1Poは、前記第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）
、
ＩＨwは、広角端において無限遠物体に合焦した時の最大像高、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【請求項９】
前記ズームレンズは、前記第１の構成又は前記第２の構成を備え、
合焦時、前記第２負レンズ群又は前記第３正レンズ群に含まれるいずれかのレンズが、光軸に沿う方向に移動することを特徴とする請求項１から８のいずれか１項に記載の撮像装置。
【請求項１０】
前記ズームレンズは、前記第１の構成又は前記第２の構成を備え、
ブレ補正時、前記第２負レンズ群又は前記第３正レンズ群に含まれるいずれかのレンズが、像のブレを打ち消す方向に偏心移動することを特徴とする請求項９に記載の撮像装置。
【請求項１１】
前記第２負レンズ群は一枚の負レンズからなり、
以下の条件式（１２）を満足することを特徴とする請求項９に記載の撮像装置。
３５≦νｄ2N≦９６      （１２）
ただし、
νｄ2Nは、前記第２負レンズ群の前記負レンズのｄ線基準のアッベ数、
である。
【請求項１２】
前記ズームレンズは、前記第１の構成を備え、
前記第１負レンズ群と前記第２正レンズ群は、前記第１負レンズ群と前記第２正レンズ群との間にレンズを挟まずに配置されていることを特徴とする請求項９に記載の撮像装置。
【請求項１３】
前記第１負レンズ群と前記第２正レンズ群は、望遠端において、それぞれ前記絞りの近くに位置することを特徴とする請求項１から８の何れか１項に記載の撮像装置。
【請求項１４】
前記ズームレンズは、前記第３の構成を備え、
合焦時、前記第２正レンズ群又は前記第３正レンズ群に含まれるいずれかが、光軸に沿う方向に移動することを特徴とする請求項１、４から６のいずれか１項に記載の撮像装置。
【請求項１５】
前記ズームレンズは、前記第３の構成を備え、
ブレ補正時、前記第３正レンズ群に含まれるいずれかのレンズが、像のブレを打ち消す方向に偏心移動することを特徴とする請求項１４に記載の撮像装置。
【請求項１６】
前記第１負レンズ群は、負屈折力の第１負レンズと、正屈折力の第１正レンズと、を有し、
前記第１負レンズは、最も物体側に配置され、
前記第１正レンズは、前記第１負レンズよりも像側に、所定の距離だけ離れて配置され、
前記第１負レンズと前記第１正レンズは、それぞれ非球面を有し、
以下の条件式（１１）を満足することを特徴とする請求項１から１５の何れか１項に記載の撮像装置。
−０．４５≦ＡＳＰ1NP≦−０．０８      （１１）
ただし、
ＡＳＰ1NP＝ＡＳＰ1NPo＋ＡＳＰ1NPiであり、
ＡＳＰ1NPoは、前記第１正レンズの物体側のレンズ面の非球面偏倚量、
ＡＳＰ1NPiは、前記第１正レンズの像側のレンズ面の非球面偏倚量、であって、
非球面偏倚量は、望遠端における明るさ絞りの最大光線入射高と同じ光軸からの高さにおいて、光軸に平行な方向に測ったときの参照球面から該レンズ面までの距離であり、像側方向を正符号とし、
参照球面は、前記レンズ面の面頂と同じ面頂を持ち、該レンズ面の近軸曲率半径を曲率半径とする球面、
である。
【請求項１７】
以下の条件式（１３）を満足することを特徴とする請求項１から１６の何れか１項に記載の撮像装置。
４．０≦Ｌw／｜ｆ1Po｜≦７．５      （１３）
ただし、
ｆ1Poは、前記第１正レンズ群物体側系の焦点距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【請求項１８】
変倍時及び合焦時、前記第１正レンズ群から前記撮像素子までの距離は、常に一定であることを特徴とする請求項１から１７の何れか１項に記載の撮像装置。
【請求項１９】
前記第１負レンズ群は、負屈折力の第１負レンズと、第２レンズと、を有し、
前記第１負レンズは、最も物体側に配置され、
前記第２レンズは、前記第１負レンズよりも像側に、所定の距離だけ離れて配置され、
以下の条件式（１４）を満足することを特徴とする請求項１から１８の何れか1項に記載の撮像装置。
０．１５≦Ｌ1Nair／ＩＨt≦０．７      （１４）
ただし、
Ｌ1Nairは、前記第１負レンズから前記第２レンズまでの光軸に沿った空気間隔、
ＩＨtは、望遠端において無限遠物体に合焦した時の最大像高、
である。
【請求項２０】
以下の条件式（１５）を満足することを特徴とする請求項１から１９の何れか１項に記載の撮像装置。
０．７５≦｜ｆ1P／ｆ1Po｜≦１．８      （１５）
ただし、
ｆ1Pは、前記第１正レンズ群の焦点距離、
ｆ1Poは、前記第１正レンズ群物体側系の焦点距離、
である。
【請求項２１】
以下の条件式（９−１）を満足することを特徴とする請求項１から２０の何れか１項に記載の撮像装置。
１．５≦｜ｆ1Po／ＩＨt｜≦３．６      （９−１）
ただし、
ｆ1Poは、前記第１正レンズ群物体側系の焦点距離、
ＩＨtは、望遠端において無限遠物体に合焦した時の最大像高、
である。
【請求項２２】
以下の条件式（１６）を満足することを特徴とする請求項１から２１の何れか１項に記載の撮像装置。
０．３７≦ｆ1N／ｆ1Po≦０．９      ・・・（１６）
ただし、
ｆ1Nは、前記第１負レンズ群の焦点距離、
ｆ1Poは、前記第１正レンズ群物体側系の焦点距離、
である。
【請求項２３】
以下の条件式（１７）を満足することを特徴とする請求項１から２２の何れか１項に記載の撮像装置。
−２８≦ＤＴ≦−１３      （１７）
ただし、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
ωwは、広角端において無限遠物体に合焦した時の最大半画角、
である。
【請求項２４】
以下の条件式（１８）を満足することを特徴とする請求項１から２３の何れか１項に記載の撮像装置。
−０．０５≦ｆw／ｒ1F≦０．０８５      （１８）
ただし、
ｆwは、広角端において無限遠物体に合焦した時の前記ズームレンズ全系の焦点距離、
ｒ1Fは、前記第１正レンズ群物体側系中の最も物体側のレンズの物体側面の近軸曲率半径、
である。
【請求項２５】
前記第１正レンズ群は、前記反射部材よりも物体側に１枚の負レンズを有し、且つ、前記反射部材よりも物体側のレンズの総数は１であることを特徴とする請求項１から２４の何れか１項に記載の撮像装置。
【請求項２６】
前記第１正レンズ群は、前記反射部材よりも物体側にガラスの負レンズを有し、
以下の条件式（１９）を満足することを特徴とする請求項１から２４の何れか１項に記載の撮像装置。
１．９≦ｎｄ1PN≦２．４      （１９）
ただし、
ｎｄ1PNは、前記ガラスの負レンズのｄ線における屈折率、
である。
【請求項２７】
前記反射部材はプリズムであることを特徴とする請求項１から２６の何れか１項に記載の撮像装置。
【請求項２８】
以下の条件式（２０）、（２１）を満足することを特徴とする請求項２７に記載の撮像装置。
１５≦νｄpri≦３０      （２０）
１．８≦ｎｄpri≦２．３      （２１）
ただし、
νｄpriは、前記プリズムのｄ線基準のアッベ数、
ｎｄpriは、前記プリズムのｄ線における屈折率、
である。
【請求項２９】
変倍時及び合焦時、前記絞りは静止していることを特徴とする請求項１から２８の何れか１項に記載の撮像装置。
【請求項３０】
前記反射部材はパワーレスのプリズムであり、
以下の条件式（２２）を満足することを特徴とする請求項１から２９の何れか１項に記載の撮像装置。
５．６≦ｔａｎωw／（Ｌpri／Ｌw）≦  ９．５      ・・・（２２）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【請求項３１】
ωw≧４２度であり、
前記反射部材はプリズムであり、
以下の条件式（２３）、（２４）を満足することを特徴とする請求項１から３０の何れか１項に記載の撮像装置。
０．５５≦（τ４２０）A      （２３）
０．４７≧（τ４００）A      （２４）
ただし、
τ４２０は、前記プリズムを構成する材料の厚さ１０ｍｍにおける波長４２０ｎｍ光の部透過率、
τ４００は、前記プリズムを構成する材料の厚さ１０ｍｍにおける波長４００ｎｍ光の内部透過率、
Ａ＝Ｌpri／１０ｍｍであり、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
である。
【請求項３２】
前記第１正レンズ群像側系が、以下の条件式（２５）を満足することを特徴とする請求項１から３１の何れか１項に記載の撮像装置。
２．０≦ｆ1Pi×ｆw／ＩＨt2≦３．０      （２５）
ただし、
ｆ1Piは、前記第１正レンズ群像側系の焦点距離、
ｆwは、広角端において無限遠物体に合焦した時の前記ズームレンズ全系の焦点距離、
ＩＨtは、望遠端において無限遠物体に合焦した時の最大像高、
である。
【発明の詳細な説明】
【技術分野】
【０００１】
本発明は、ズームレンズを備えた撮像装置、特に、反射部材を有するズームレンズを備えた撮像装置に関する。
【背景技術】
【０００２】
電子撮像素子を用いたデジタルカメラなどの撮像装置には、小型化、軽量化、低コスト化が求められている。これらの要求に対応するズームレンズとして、光学系の光路中に反射面を配置し、この反射面で光路を折り曲げるズームレンズが知られている。光学系の光路を折り曲げる構成により、光学系はもちろんのこと、撮像装置の薄型化、小型化ができる。そのため、このようなズームレンズを採用した撮像装置が普及している。
【０００３】
また、ズームレンズには、変倍比の大きいズームレンズが求められている。これは、変倍比の大きいズームレンズは、より広範囲の撮影を行なうシーンへの対応が可能となるからである。
【０００４】
光路を折り曲げる構成で、且つ、比較的広画角であるズームレンズ、及びこのズームレンズを備えた撮像装置が、特許文献１、２、３に開示されている。
【先行技術文献】
【特許文献】
【０００５】
【特許文献１】特開２００９−１２８６２０号公報
【特許文献２】特開２０１１−０９５５０５号公報
【特許文献３】特開２０１１−０１７７７２号公報
【０００６】
特許文献１に開示されたズームレンズは、広角端での半画角が４０．４度程度である。また、特許文献２に開示されたズームレンズは、広角端での半画角が３９．３２度程度である。また、特許文献３に開示されたズームレンズは、広角端での半画角は４３．３度程度で、変倍比が３．７６倍程度である。
【発明の概要】
【発明が解決しようとする課題】
【０００７】
例えば、大きな建造物の撮影や、広大な景色を背景にした記念撮影や、水中での近接撮影や、デフォルメ効果を期待した撮影などでは、ズームレンズとしては、広角端における画角が広いことが好ましい。それに加えて、上記以外のさまざまな撮影シーンへ対応するためには、ズームレンズとしては、十分な変倍比が確保されていることが好ましい。
【０００８】
このように、ズームレンズには、広角端における広画角化と高変倍比化の両立が求められている。また、撮影装置自体の薄型化のために、ズームレンズの厚さ方向の薄型化も求められる。
【０００９】
しかしながら、特許文献１、２、３に開示されているズームレンズでは、広角端における広画角化と高変倍比化の両立が十分に達成されているとはいえない。
【００１０】
本発明は、このような課題に鑑みてなされたものであって、広角端における広画角化と高変倍比化が両立され、且つ、諸収差が良好に補正されたズームレンズを備えた撮像装置の提供を目的とするものである。
【課題を解決するための手段】
【００１１】
上述した課題を解決し、目的を達成するために、本発明の撮像装置は、
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有するパワーレスのプリズムである反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（１）、（２２）を満足することを特徴とする。
４．５≦｜ｆ1Po｜×ｆ1Pi／ＩＨt2≦７．５      （１）
５．６≦ｔａｎωw／（Ｌpri／Ｌw）≦  ９．５      ・・・（２２）
ただし、
ｆ1Poは、前記第１正レンズ群物体側系の焦点距離、
ｆ1Piは、前記第１正レンズ群像側系の焦点距離、
ＩＨtは、望遠端において無限遠物体に合焦した時の最大像高、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【００１２】
また、本発明の別の撮像装置は、
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（２）、（３）を満足することを特徴とする。
０．７≦ｔａｎωw−（Ｌpri／Ｌw）≦１．３      （２）
３．５≦ＤＴ／（ｆ1Po／ＩＨt）≦１６      （３）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ｆ1Poは、前記第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
である。
【００１３】
また、本発明の別の撮像装置は、
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有するパワーレスのプリズムである反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（４）、（５−１）、（２２）を満足することを特徴とする。
４．２≦｜（ｆ1Po／ＩＨt）×（ｆ1P／ＩＨt）／ｔａｎωw｜≦１１．６      （４）
５．６≦｜（ｆ1Po／ｆw）×（ｆ1P／ｆw）｜≦１１．０      （５−１）
５．６≦ｔａｎωw／（Ｌpri／Ｌw）≦  ９．５      ・・・（２２）
ただし、
ｆ1Poは、前記第１正レンズ群物体側系の焦点距離、
ｆ1Pは、前記第１正レンズ群の焦点距離、
ＩＨtは、望遠端において無限遠物体に合焦した時の最大像高、
ωwは、広角端において無限遠物体に合焦した時の最大半画角、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【００１４】
また、本発明の別の撮像装置は、
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（１）、（６）を満足することを特徴とする。
４．５≦｜ｆ1Po｜×ｆ1Pi／ＩＨt2≦７．５      （１）
１．０≦｜（ｆ1Po／ＩＨt）／（ｔａｎωw）2｜≦３．７      （６）
ただし、
ｆ1Poは、前記第１正レンズ群物体側系の焦点距離、
ｆ1Piは、前記第１正レンズ群像側系の焦点距離、
ＩＨtは、望遠端において無限遠物体に合焦した時の最大像高、
ＩＨtは、望遠端において無限遠物体に合焦した時の最大像高、
ωwは、広角端において無限遠物体に合焦した時の最大半画角、
である。
【００１５】
また、本発明の別の撮像装置は、
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（１）、（５）、（７）を満足することを特徴とする。
４．５≦｜ｆ1Po｜×ｆ1Pi／ＩＨt2≦７．５      （１）
５．６≦｜（ｆ1Po／ｆw）×（ｆ1P／ｆw）｜≦１１．５      （５）
１．５≦（Ｌpri／ＩＨt）×（ｆw／ＩＨt）／ｔａｎωw≦２．８      （７）
ただし、
ｆ1Poは、前記第１正レンズ群物体側系の焦点距離、
ｆ1Piは、前記第１正レンズ群像側系の焦点距離、
ｆ1Pは、前記第１正レンズ群の焦点距離、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
ＩＨtは、望遠端において無限遠物体に合焦した時の最大像高、
ωwは、広角端において無限遠物体に合焦した時の最大半画角、
である。
【００１６】
また、本発明の別の撮像装置は、
ズームレンズと、該ズームレンズの像面に配置された撮像素子を備えた撮像装置であって、
前記ズームレンズは、第１の構成、第２の構成及び第３の構成のうちのいずれか１つの構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
前記第３の構成は、物体側から順に、実質的に、正屈折力の第１正レンズ群と、負屈折力の第１負レンズ群と、正屈折力のレンズ群と、絞りと、正屈折力の第２正レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（５−１）、（８）、（９）を満足することを特徴とする。
５．６≦｜（ｆ1Po／ｆw）×（ｆ1P／ｆw）｜≦１１．０      （５−１）
０．７≦｜ｆn／ＩＨt｜≦４．０      （８）
１．２≦｜ｆ1Po／ＩＨt｜≦３．６      （９）
ただし、
ｆ1Poは、前記第１正レンズ群物体側系の焦点距離、
ｆ1Pは、前記第１正レンズ群の焦点距離、
ｆwは、広角端において無限遠物体に合焦した時の前記ズームレンズ全系の焦点距離、
ｆnは、前記ズームレンズに含まれる各々のレンズ群の焦点距離であって、前記各々のレンズ群は、変倍時の移動または静止によって特定され、
ＩＨtは、望遠端において無限遠物体に合焦した時の最大像高、
である。
【００１７】
また、本発明の別の撮像装置は、
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（２）、（１０）を満足することを特徴とする。
０．７≦ｔａｎωw−（Ｌpri／Ｌw）≦１．３      （２）
１．２≦｜ｆ1Po／ｆw｜≦２．９      （１０）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ｆ1Poは、前記第１正レンズ群物体側系の焦点距離、
ｆwは、広角端において無限遠物体に合焦した時の前記ズームレンズ全系の焦点距離、
である。
【００１８】
また、本発明の別の撮像装置は、
ズームレンズと、該ズームレンズの像面に配置された撮像素子を備えた撮像装置であって、
前記ズームレンズは、第１の構成又は第２の構成を備え、
前記第１の構成は、物体側から順に、実質的に、正屈折力の第１正レンズ群と、負屈折力の第１負レンズ群と、絞りと、正屈折力の第２正レンズ群と、負屈折力の第２負レンズ群と、正屈折力の第３正レンズ群と、からなり、
前記第２の構成は、物体側から順に、実質的に、正屈折力の第１正レンズ群と、負屈折力の第１負レンズ群と、絞りと、正屈折力のレンズ群と、正屈折力の第２正レンズ群と、負屈折力の第２負レンズ群と、正屈折力の第３正レンズ群と、からなり、
変倍時、隣り合う前記レンズ群の間隔はいずれも変化し、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有するパワーレスのプリズムである反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
ωw≧４２度であり、
以下の条件式（３）、（２２）を満足することを特徴とする。
３．５≦ＤＴ／（ｆ1Po／ＩＨt）≦１６      （３）
５．６≦ｔａｎωw／（Ｌpri／Ｌw）≦  ９．５      ・・・（２２）
ただし、
ωwは、広角端において無限遠物体に合焦した時の最大半画角、
ｆ1Poは、前記第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
【発明の効果】
【００１９】
本発明によれば、広角端における広画角化と高変倍比化が両立され、且つ、諸収差が良好に補正されたズームレンズを備えた撮像装置を提供することができる。
【図面の簡単な説明】
【００２０】
【図１】本発明のズームレンズの実施例１の無限遠物点合焦時の広角端（ａ）、中間焦点距離状態（ｂ）、望遠端（ｃ）でのレンズ断面図である。
【図２】本発明のズームレンズの実施例２の無限遠物点合焦時の広角端（ａ）、中間焦点距離状態（ｂ）、望遠端（ｃ）でのレンズ断面図である。
【図３】本発明のズームレンズの実施例３の無限遠物点合焦時の広角端（ａ）、中間焦点距離状態（ｂ）、望遠端（ｃ）でのレンズ断面図である。
【図４】本発明のズームレンズの実施例４の無限遠物点合焦時の広角端（ａ）、中間焦点距離状態（ｂ）、望遠端（ｃ）でのレンズ断面図である。
【図５】本発明のズームレンズの実施例５の無限遠物点合焦時の広角端（ａ）、中間焦点距離状態（ｂ）、望遠端（ｃ）でのレンズ断面図である。
【図６】本発明のズームレンズの実施例６の無限遠物点合焦時の広角端（ａ）、中間焦点距離状態（ｂ）、望遠端（ｃ）でのレンズ断面図である。
【図７】本発明のズームレンズの実施例７の無限遠物点合焦時の広角端（ａ）、中間焦点距離状態（ｂ）、望遠端（ｃ）でのレンズ断面図である。
【図８】本発明のズームレンズの実施例８の無限遠物点合焦時の広角端（ａ）、中間焦点距離状態（ｂ）、望遠端（ｃ）でのレンズ断面図である。
【図９】実施例１の無限遠物点合焦時の収差図である。
【図１０】実施例２の無限遠物点合焦時の収差図である。
【図１１】実施例３の無限遠物点合焦時の収差図である。
【図１２】実施例４の無限遠物点合焦時の収差図である。
【図１３】実施例５の無限遠物点合焦時の収差図である。
【図１４】実施例６の無限遠物点合焦時の収差図である。
【図１５】実施例７の無限遠物点合焦時の収差図である。
【図１６】実施例８の無限遠物点合焦時の収差図である。
【図１７】ωｗを説明するための図である。
【図１８】歪曲収差の補正を説明する図である。
【図１９】本発明によるズームレンズを組み込んだデジタルカメラの概観を示す前方斜視図である。
【図２０】上記デジタルカメラの後方斜視図である。
【図２１】上記デジタルカメラの断面図である。
【図２２】上記デジタルカメラの主要部の内部回路の構成ブロック図である。
【図２３】プリズムに使用する材料の内部透過率を示すグラフである。
【発明を実施するための形態】
【００２１】
以下に、本発明にかかる撮像装置、及びこの撮像装置に用いるズームレンズの実施形態及び実施例を、図面に基づいて詳細に説明する。なお、この実施形態及び実施例によりこの発明が限定されるものではない。
【００２２】
また、以下の説明において、広い画角（広画角）については、例えば、半画角が４２度以上であることが好ましく、高い変倍比（高変倍比）については、例えば、４倍以上であることが好ましい。但し、これらの数値に限定されない。また、以下の説明において、光路の折り曲げ厚さとは、第１正レンズ群の最も物体側面（物体側の屈折面）から反射部材までの距離である。
【００２３】
本実施形態の第１の撮像装置は、ズームレンズと、該ズームレンズの像面に配置された撮像素子を備えた撮像装置であって、ズームレンズは、正屈折力の第１正レンズ群と、負屈折力の第１負レンズ群と、絞りと、正屈折力の第２正レンズ群と、を有し、第１正レンズ群と、第１負レンズ群とが、物体側から像側に、この順で配置され、第２正レンズ群は、第１負レンズ群よりも像側に配置され、絞りは、第１負レンズ群と第２正レンズ群の間に配置され、広角端から望遠端への変倍時に、第１正レンズ群は静止し、第１負レンズ群は像側に移動し、第２正レンズ群は物体側に移動し、第１負レンズ群の望遠端における位置は、広角端における位置よりも像側であり、第２正レンズ群の望遠端における位置は、広角端における位置よりも物体側であり、合焦時、第１正レンズ群は静止し、第１正レンズ群は、光路を折り曲げる反射面を有する反射部材と、第１正レンズ群物体側系と、第１正レンズ群像側系と、を備え、第１正レンズ群物体側系は、反射面よりも物体側に位置すると共に、負屈折力を有し、第１正レンズ群像側系は、反射面よりも像側に位置すると共に、正屈折力を有し、以下の条件式（１）を満足する。
４．５≦｜ｆ1Po｜×ｆ1Pi／ＩＨt2≦７．５      （１）
ただし、
ｆ1Poは、第１正レンズ群物体側系の焦点距離、
ｆ1Piは、第１正レンズ群像側系の焦点距離、
ＩＨtは、望遠端において無限遠物体に合焦した時の最大像高、
である。
【００２４】
本実施形態の第１の撮像装置に用いるズームレンズは、以下の基本構成を備える。後述する第２〜第８の実施形態の撮像装置に用いるズームレンズも、この基本構成を備えている。
【００２５】
本実施形態の第１の撮像装置は、ズームレンズと、該ズームレンズの像面に配置された撮像素子を備えた撮像装置であって、ズームレンズは、正屈折力の第１正レンズ群と、負屈折力の第１負レンズ群と、絞りと、正屈折力の第２正レンズ群と、を有し、第１正レンズ群と、第１負レンズ群とが、物体側から像側に、この順で配置され、第２正レンズ群は、第１負レンズ群よりも像側に配置され、絞りは、第１負レンズ群と第２正レンズ群の間に配置され、広角端から望遠端への変倍時に、第１正レンズ群は静止し、第１負レンズ群は像側に移動し、第２正レンズ群は物体側に移動する。
【００２６】
このような構成にすることで、ズームレンズの全長の短縮化と、高い変倍比の確保に有利となる。また、屈折力配置（屈折力の並び）が正、負、正となっているため、屈折力配置の対称性を高める構成にすることが容易となる。そして、このような構成は、変倍時における軸外の収差変動を小さく抑えることに適する。よって、特に、非点収差やコマ収差について、変倍時に、これらの収差が良好に補正された状態を保つことが容易になる。
【００２７】
また、第１負レンズ群の望遠端における位置は、広角端における位置よりも像側であり、第２正レンズ群の望遠端における位置は、広角端における位置よりも物体側となっている。
【００２８】
この場合、第１負レンズ群と第２正レンズ群の各々は、絞りに対する距離が広角端で広く、望遠端で狭くなるように移動する。このようにすると、第１負レンズ群の屈折力と第２正レンズ群の屈折力の各々を大きくできるので、入射瞳を物体側に近づけることができる。また、第１負レンズ群と第２正レンズ群の各々で、変倍作用も高められる。この結果、光学系を広画角化しても、第１正レンズ群の径を小さくできると共に、高い変倍比の確保がより容易となる。
【００２９】
また、第１正レンズ群は、変倍時だけでなく、合焦時も静止している。このようにすることで、ズームレンズにおける光学系（レンズ群）のレイアウトをより簡素化できる。その結果、より小型の撮像装置を実現できる。
【００３０】
また、第１正レンズ群は、光路を折り曲げる反射面を有する反射部材と、第１正レンズ群物体側系と、第１正レンズ群像側系と、を備え、第１正レンズ群物体側系は、反射面よりも物体側に位置すると共に、負屈折力を有し、第１正レンズ群像側系は、反射面よりも像側に位置すると共に、正屈折力を有する。
【００３１】
第１正レンズ群を、第１正レンズ群物体側系と第１正レンズ群像側系とで構成し、第１正レンズ群像側系の屈折力を正にすることで、第１正レンズ群において、適切な大きさの正屈折力を確保することができる。また、反射部材の配置スペースを小さくすることができる。
【００３２】
また、反射部材の反射面よりも手前、すなわち、第１正レンズ群の最も物体側から反射面までを第１正レンズ群物体側系とし、この第１正レンズ群物体側系の屈折力を負屈折力とすることで、広角端での広い画角の確保に有利となる。なお、この第１正レンズ群物体側系よりも物体側には、レンズ（群）が配置されていないことが好ましい。このように構成した上で、反射面を第１正レンズ群中に配置することで、光路の折り曲げ厚さをより薄くすることができる。
【００３３】
そして、以上の基本構成を備えた上で、以下の条件式（１）を満足することを特徴とする。
４．５≦｜ｆ1Po｜×ｆ1Pi／ＩＨt2≦７．５      （１）
ただし、
ｆ1Poは、第１正レンズ群物体側系の焦点距離、
ｆ1Piは、第１正レンズ群像側系の焦点距離、
ＩＨtは、望遠端において無限遠物体に合焦した時の最大像高、
である。
【００３４】
広角端での広い画角の確保には、入射角が大きい光のズームレンズへの入射を確保する必要がある。また、高い変倍比を維持しつつ、ズームレンズの全長を短縮することが、ズームレンズにとって望ましい。また、ズームレンズの全長の短縮化は、撮像装置の厚さ方向の薄型化にとっても好ましい。
【００３５】
このようなズームレンズの広画角化、高変倍比化、全長の短縮化を実現するには第１正レンズ群物体側系の負屈折力を大きくすると共に、第１正レンズ群の正屈折力を大きくすることが好ましい。ここで、第１正レンズ群の正屈折力を大きくすると、望遠端において、ズームレンズ全体の光学構成がテレフォトタイプのような構成となる。その結果、ズームレンズの全長を短縮する効果が高まる。よって、第１正レンズ群の正屈折力を大きくすることで、ズームレンズの全長を短縮する効果をより高めることが好ましい。条件式（１）は、ズームレンズの全長を短縮する効果を高めつつ、光学性能を良好に保つために好ましい条件である。
【００３６】
条件式（１）の下限値を下回らないようにすることで、ズームレンズの全長を短縮しても、第１正レンズ群物体側系と第１正レンズ群像側系の各々で、非点収差と倍率色収差の発生を低減しやすくなる。特に、広角端付近で非点収差と倍率色収差の低減に有利となる。また、画面周辺部で倍率色収差が急激に大きくなることを抑えられるので、色にじみを低減した画像を得やすくなる。
【００３７】
また、条件式（１）の下限値を下回らないようにすることで、望遠端付近において第１正レンズ群像側系で発生する諸収差、具体的には、負の球面収差、負の非点収差及び正のディストーションの各々が補正過剰になることを抑えやすくなる。また、望遠端付近で球面収差が大きく負となることを抑えられるので、画像中心付近での性能向上に有利となる。また、正のディストーションの発生を低減しやすくなる。
【００３８】
条件式（１）の上限値を上回らないようにすることで、第１正レンズ群における適切な大きさの正屈折力の確保や、高い変倍比を確保した上でのズームレンズの全長の短縮化に有利となる。また、第１正レンズ群物体側系の負屈折力を大きくできるので、広角端における広い画角の確保と、反射部材の配置スペースの小型化とそれに伴う撮像装置全体の小型化に有利となる。
【００３９】
本実施形態の第２の撮像装置は、上記の基本構成を備え、反射部材はプリズムであり、以下の条件式（２）、（３）を満足する。
０．７≦ｔａｎωw−（Ｌpri／Ｌw）≦１．３      （２）
３．５≦ＤＴ／（ｆ1Po／ＩＨt）≦１６      （３）
ただし、
ωwは、広角端において無限遠物体に合焦した時の最大半画角、
Ｌpriは、プリズムの光軸に沿った全長であって、該全長は、プリズムを構成する光学面のうちの、反射面よりも物体側にある光学面から反射面よりも像側にある光学面までの距離、
Ｌwは、ズームレンズ全系の光軸に沿った全長に、空気換算したバックフォーカス長を加えた距離であって、該距離は、広角端において無限遠物体に合焦した時の距離であり、全長は、ズームレンズの最も物体側のレンズ面から最も像側のレンズ面までの距離、
ｆ1Poは、第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時のズームレンズ全系の焦点距離、
である。
【００４０】
本実施形態の撮像装置は、上述の基本構成に加えて、反射部材をプリズムとした際の好ましい構成のひとつを特定するものである。
【００４１】
光学系を広画角化し、第１正レンズ群で光路を折り曲げるにあたっては、第１正レンズ群物体側系と第１正レンズ群像側系との間で、光路の折り曲げに必要な光路長を確保する必要がある。そのためには、第１正レンズ群物体側系の負屈折力を大きくすると共に、第１正レンズ群像側系の正屈折力を大きくすることが好ましい。
【００４２】
ここで、反射面としては、空気と接している状態の反射面と、プリズムに設けられている反射面と、がある。反射面が空気と接している状態では、反射面がプリズムに設けられている状態に比べて、第１正レンズ群物体側系と第１正レンズ群像側系との間隔は広くなる。そのため、反射面が空気と接している状態では、反射面がプリズムに設けられている状態に比べて、第１正レンズ群物体側系の屈折力と第１正レンズ群像側系の屈折力の各々をより大きくする必要がある。
【００４３】
前述のように、第１正レンズ群物体側系の負屈折力を大きくすることは広画角化に好ましく、第１正レンズ群像側系の正屈折力を大きくすることは、第１正レンズ群において適切な正屈折力を確保するのに好ましい。とはいえ、第１正レンズ群物体側系の屈折力と第１正レンズ群像側系の屈折力の各々が大きくなると、第１正レンズ群物体側系と第１正レンズ群像側系の各々で、非点収差と倍率色収差が大きくなる。この場合、第１正レンズ群物体側系と第１正レンズ群像側系とで、各々の収差をある程度キャンセルすること（補正すること）ができる。
【００４４】
ただし、第１正レンズ群物体側系の屈折力と第１正レンズ群像側系の屈折力の各々が更に大きくなると、非点収差と倍率色収差の各々について、第１正レンズ群物体側系と第１正レンズ群像側系とでキャンセルすることが困難になる。そのため、広角端付近での非点収差と倍率色収差が残存しやすくなる。また、第１正レンズ群物体側系の負屈折力を大きくすると、望遠端付近で第１正レンズ群物体側系の倍率色収差が大きくなってくる。ここで、倍率色収差は軸上色収差の発生量に影響を及ぼすため、軸上色収差への影響（軸上色収差とのバランス）を考慮して収差補正を行なうことが好ましい。しかしながら、反射面が空気と接している状態では、これらの収差の補正が難しくなる。
【００４５】
そこで、第２実施形態の撮像装置では、第１正レンズ群物体側系と第１正レンズ群像側系の間に反射部材を配置し、この反射部材をプリズムにしている。このようにすることで、光路の折り曲げに必要な光路長を確保しつつ、広角端付近での非点収差と倍率色収差について、第１正レンズ群物体側系での発生を低減できる。
【００４６】
加えて、プリズムを用いることで、望遠端付近で軸上色収差を負側に発生させることができる。そのため、第１正レンズ群物体側系と第１正レンズ群像側系とで倍率色収差の補正を行なった場合に軸上色収差が残存しても、プリズムで発生する負の軸上色収差を使って、残存した軸上色収差の補正ができる。
【００４７】
条件式（２）は、高い変倍比を確保しながら、プリズムで発生させる望遠端付近での負の軸上色収差の発生量と、広角端付近での非点収差と倍率色収差の発生量と、歪曲収差を、許容範囲内に収めるために好ましい条件式である。
【００４８】
条件式（２）の下限値を下回らないように、画角に対してプリズムの全長が長くなることを抑えることで、適切な量の軸上色収差をプリズムで発生させることができるので、望遠端付近での軸上色収差の低減に有利となる。また、第１正レンズ群物体側系と第１正レンズ群像側系との間隔や、各々の屈折力を適切にすることができるので、収差補正の面で有利となる。条件式（２）の上限値を上回らないようにすることで、歪曲収差の低減に有利となる。
【００４９】
また、ディストーションは画角の３乗に比例して大きくなり、非点収差は画角の２乗に比例して大きくなる特徴がある。広角端付近で負のディストーションを大きくすること、すなわち、負のディストーションの発生をある程度許容することは、広画角化する際、像面の平坦性の確保に有利となる。この場合、第１正レンズ群物体側系で発生するディストーションの量を適切な量（許容範囲内）にすることで、望遠端付近での軸上色収差の負の収差量を適切な量とし、また、広角端付近での非点収差と倍率色収差を良好に補正することができる。また、第１正レンズ群物体側系の負屈折力を大きくするほど、広画角化と反射部材の小型化につながる。条件式（３）はその点を特定したものであり、条件式（３）を満たすことで、高い光学性能の実現と小型化の両立に有利となる。
【００５０】
条件式（３）の下限値を下回らないようにすることで、第１正レンズ群物体側系で発生する負のディストーションの量を適切に確保できる（許容範囲内にできる）ので、反射部材の小型化に有利となる。
【００５１】
条件式（３）の上限値を上回らないようにすることで、第１正レンズ群物体側系で発生する負のディストーションの量が過剰になることを抑えられ、また、第１正レンズ群物体側系で発生する非点収差を良好に補正しやすくなる。また、電気的なディストーション補正を行った場合でも、解像力の劣化を抑えやすくなる。
【００５２】
本実施形態の第３の撮像装置は、上記の基本構成を備え、以下の条件式（４）、（５−１）を満足する。
４．２≦｜（ｆ1Po／ＩＨt）×（ｆ1P／ＩＨt）／ｔａｎωw｜≦１１．６      （４）
５．６≦｜（ｆ1Po／ｆw）×（ｆ1P／ｆw）｜≦１１．０      （５−１）
ただし、
ｆ1Poは、第１正レンズ群物体側系の焦点距離、
ｆ1Pは、第１正レンズ群の焦点距離、
ＩＨtは、望遠端において無限遠物体に合焦した時の最大像高、
ωwは、広角端において無限遠物体に合焦した時の最大半画角、
ｆwは、広角端において無限遠物体に合焦した時のズームレンズ全系の焦点距離、
である。
【００５３】
本実施形態の撮像装置は、上述の基本構成に加えて、好ましい条件式（４）、（５−１）を特定するものである。
【００５４】
前述のように、広画角化を実現するには、第１正レンズ群物体側系の負屈折力を大きくすることが好ましい。また、高変倍比化、全長の短縮化のためには、第１正レンズ群の正屈折力を大きくして、望遠端において、ズームレンズ全体の光学構成がテレフォトタイプのような構成となるようにすることが好ましい。
【００５５】
また、画角が広くなるほど、第１正レンズ群物体側系の負屈折力が大きくなるので、第１正レンズ群物体側系で発生する非点収差や倍率色収差について補正を行うことが好ましい。そこで、画角に対する第１正レンズ群物体側系と第１正レンズ群の屈折力のバランスを適切に設定することが、高い光学性能の実現と小型化の両立のために有利となる。
【００５６】
条件式（４）と（５−１）は、第１正レンズ群物体側系と第１正レンズ群の屈折力を、共に大きくすることを意味している。
【００５７】
両条件式の下限値を下回らないようにすることで、第１正レンズ群の屈折力が大きくなりすぎることを抑えると共に、第１正レンズ群物体側系と第１正レンズ群像側系の各々で、非点収差と倍率色収差の発生を低減しやすくなる。特に、広角端付近で非点収差と倍率色収差の低減に有利となる。また、画面周辺部で倍率色収差が急激に大きくなることを抑えられるので、色にじみを低減した画像を得やすくなる。
【００５８】
また、両条件式の下限値を下回らないようにすることで、望遠端付近において第１正レンズ群像側系で発生する諸収差、具体的には、負の球面収差、負の非点収差及び正のディストーションの各々が補正過剰になることを抑えやすくなる。また、望遠端付近で球面収差が大きく負となることを抑えられるので、画像中心付近での性能向上に有利となる。また、正のディストーションの発生を低減しやすくなる。
【００５９】
両条件式の上限値を上回らないようにすることで、第１正レンズ群における適切な大きさの正屈折力の確保や、高い変倍比を確保した上でのズームレンズの全長の短縮化に有利となる。また、第１正レンズ群物体側系の負屈折力を大きくすることができるので、広角端における広い画角の確保と、反射部材の配置スペースの小型化とそれに伴う撮像装置全体の小型化に有利となる。
【００６０】
本実施形態の第４の撮像装置は、上記の基本構成を備え、以下の条件式（６）を満足する。
１．０≦｜（ｆ1Po／ＩＨt）／（ｔａｎωw）2｜≦３．７      （６）
ただし、
ｆ1Poは、第１正レンズ群物体側系の焦点距離、
ＩＨtは、望遠端において無限遠物体に合焦した時の最大像高、
ωwは、広角端において無限遠物体に合焦した時の最大半画角、
である。
【００６１】
本実施形態の撮像装置は、上述の基本構成に加えて、好ましい条件式（６）を特定するものである。
【００６２】
条件式（６）は、ズームレンズにおいて、広い画角を確保し、高変倍比で、小型で、良好な光学性能を得るための好ましい条件である。
【００６３】
条件式（６）の下限値を下回らないようにすることで、第１正レンズ群物体側系の負屈折力が大きくなりすぎることを抑えられる。この場合、大きな負のディストーションが第１正レンズ群物体側系で発生することを抑えられるので、他のレンズでディストーションの補正が行いやすくなる。また、残存するディストーションを小さくすることで、電気的なディストーション補正を行った場合でも解像力の劣化を抑えやすくなる。
【００６４】
条件式（６）の上限値を上回らないようにすることで、第１正レンズ群物体側系について、適切な大きさの負屈折力を確保することができる。そのため、広画角化を行い易くなる。また、ズームレンズ全体での負屈折力は、第１負レンズ群でも負担している。そのため、第１正レンズ群物体側系について、適切な大きさの負屈折力にできると、広画角化に伴う第１負レンズ群の負屈折力の負担増（負屈折力が大きくなりすぎること）を抑えられることから、ズームレンズの全長の短縮化と高変倍比の両立に有利となる。また、第１負レンズ群の負屈折力の負担を減らすことで、第１負レンズ群の偏心による像面の傾きを低減しやすくなるので、安定した光学性能を得やすくなる。
【００６５】
本実施形態の第５の撮像装置は、上記の基本構成を備え、反射部材はプリズムであり、以下の条件式（５）、（７）を満足する。
５．６≦｜（ｆ1Po／ｆw）×（ｆ1P／ｆw）｜≦１１．５      （５）
１．５≦（Ｌpri／ＩＨt）×（ｆw／ＩＨt）／ｔａｎωw≦２．８      （７）
ただし、
ｆ1Poは、第１正レンズ群物体側系の焦点距離、
ｆ1Pは、第１正レンズ群の焦点距離、
ｆwは、広角端において無限遠物体に合焦した時のズームレンズ全系の焦点距離、
Ｌpriは、プリズムの光軸に沿った全長であって、該全長は、プリズムを構成する光学面のうちの、反射面よりも物体側にある光学面から反射面よりも像側にある光学面までの距離、
ＩＨtは、望遠端において無限遠物体に合焦した時の最大像高、
ωwは、広角端において無限遠物体に合焦した時の最大半画角、
である。
【００６６】
本実施形態の撮像装置は、上述の基本構成に加えて、反射部材をプリズムとした際の好ましい構成のひとつを特定するものである。
【００６７】
光学系を広画角化し、第１正レンズ群で光路を折り曲げるにあたっては、第１正レンズ群物体側系と第１正レンズ群像側系との間で、光路の折り曲げに必要な光路長を確保する必要がある。そのためには、第１正レンズ群物体側系の負屈折力を大きくすると共に、第１正レンズ群像側系の正屈折力を大きくすることが好ましい。その場合、広角端付近で主にディストーションや非点収差を低減し、望遠端付近で主に球面収差やコマ収差を低減することが好ましい。
【００６８】
そこで、反射部材をプリズムにすることで、第１正レンズ群物体側系の負屈折力が大きくなりすぎないようにしても、反射部材（プリズム）の配置スペースを第１正レンズ群内で確保ができる。このように、第１正レンズ群物体側系の負屈折力が大きくなりすぎないことから、反射部材をプリズムにすることは、良好な収差補正を得る上で効果を奏する。
【００６９】
条件式（５）の技術的意義は、条件式（５−１）における技術的意義と同じである。
【００７０】
条件式（７）の下限値を下回らないようにすることで、広角端で、明るさ絞りより物体側のレンズ系の負屈折力（第１正レンズ群物体側系と第１負レンズ群の屈折力）が大きくなりすぎることを抑え、負のディストーションの低減とズームレンズの全長の短縮化に有利となる。また、負のディストーションの低減により、電気的にディストーションの補正を行った場合に解像力の劣化を抑えやすくなる。
【００７１】
条件式（７）の上限値を上回らないようにすることで、プリズム内の光路長を短くし、光路の折り曲げ厚さを薄くすることに有利となる。
【００７２】
本実施形態の第６の撮像装置は、上記の基本構成を備え、以下の条件式（５−１）、（８）、（９）を満足する。
５．６≦｜（ｆ1Po／ｆw）×（ｆ1P／ｆw）｜≦１１．０      （５−１）
０．７≦｜ｆn／ＩＨt｜≦４．０      （８）
１．２≦｜ｆ1Po／ＩＨt｜≦３．６      （９）
ただし、
ｆ1Poは、第１正レンズ群物体側系の焦点距離、
ｆ1Pは、第１正レンズ群の焦点距離、
ｆwは、広角端において無限遠物体に合焦した時のズームレンズ全系の焦点距離、
ｆnは、ズームレンズに含まれる各々のレンズ群の焦点距離であって、各々のレンズ群は、変倍時の移動または静止によって特定され、
ＩＨtは、望遠端において無限遠物体に合焦した時の最大像高、
である。
【００７３】
本実施形態の撮像装置は、上述の基本構成に加えて、好ましい条件式（５−１）、（８）、（９）を特定するものである。
【００７４】
条件式（５−１）の技術的意義は、既に説明したとおりである。
【００７５】
ズームレンズを構成する各レンズ群の屈折力を適切に設定することで、ズームレンズ全体のレンズ径を小さくし、且つズームレンズの全長が短縮でき、更に短縮化した状態で効率的に高い変倍比の確保が行える。ズームレンズを構成する全てのレンズ群が条件式（８）を満足することが好ましい。
【００７６】
条件式（８）の下限値を下回らないようにすることで、屈折力が大きすぎないレンズ群でズームレンズを構成できる。その結果、各レンズ群で球面収差の低減が行いやすくなるので、主に望遠端側で球面収差の低減に有利となる。また、例えば、高い変倍比を確保しつつ、変倍域全域で良好な光学性能が得やすくなる。
【００７７】
条件式（８）の上限値を上回らないようにすることで、各レンズ群において適切な大きさの屈折力を確保できるので、効率的な高変倍比化や、ズームレンズの全長の短縮化に有利となる。
【００７８】
更に、第１正レンズ群物体側系の屈折力の大きさを適切に設定することで、広画角化に有利となる。条件式（９）は、第１正レンズ群物体側系の屈折力大きさを適切に設定する条件式である。
【００７９】
条件式（９）の下限値を下回らないようにすることで、光学系を広画角化した際に、負のディストーションが大きく発生することを抑えやすくなる。
【００８０】
条件式（９）の上限値を上回らないようにすることで、広い画角の確保に有利となる。又は、第１負レンズ群の負屈折力を適度な大きさに抑えやすくなるので、高変倍比化しても全変倍域で像面湾曲を良好に補正しやすくなる
【００８１】
本実施形態の第７の撮像装置は、上記の基本構成を備え、反射部材はプリズムであり、以下の条件式（２）、（１０）を満足することを特徴とする。
０．７≦ｔａｎωw−（Ｌpri／Ｌw）≦１．３      （２）
１．２≦｜ｆ1Po／ｆw｜≦２．９      （１０）
ただし、
ωwは、広角端において無限遠物体に合焦した時の最大半画角、
Ｌpriは、プリズムの光軸に沿った全長であって、該全長は、プリズムを構成する光学面のうちの、反射面よりも物体側にある光学面から反射面よりも像側にある光学面までの距離、
Ｌwは、ズームレンズ全系の光軸に沿った全長に、空気換算したバックフォーカス長を加えた距離であって、該距離は、広角端において無限遠物体に合焦した時の距離であり、全長は、ズームレンズの最も物体側のレンズ面から最も像側のレンズ面までの距離、
ｆ1Poは、第１正レンズ群物体側系の焦点距離、
ｆwは、広角端において無限遠物体に合焦した時のズームレンズ全系の焦点距離、
である。
【００８２】
本実施形態の撮像装置は、上述の基本構成に加えて、反射部材をプリズムとした際の好ましい構成のひとつを特定するものである。
【００８３】
反射面をプリズムに設けたことによる効果、すなわち、光路の折り曲げに必要な光路長が確保できることや、収差補正におけるメリットは上述したとおりである。
【００８４】
条件式（２）と条件式（１０）は、光学系を広画角化しても、プリズムの厚さを薄く保ち、且つ、ズームレンズの全長も短く保つことに有利な条件を特定するものである。
【００８５】
条件式（２）の下限値において条件式（１０）の下限値を下回らないようにすることで、画角に対して第１正レンズ群物体側系の負屈折力が大きくなりすぎないようにできるので、ズームレンズの全長が長くなることを防ぎやすくなる。
【００８６】
条件式（２）式の下限値において条件式（１０）の上限値を上回らないようにすることで、広い画角を十分に確保しても、プリズムの厚さの増加を抑えられるので、ズームレンズの全長が長くなることを抑えやすくなる。
【００８７】
条件式（２）の上限値において条件式（１０）の下限値を下回らないようにすることで、像面湾曲と望遠端付近での球面収差の発生を抑えられるので、高変倍化に有利となる。
【００８８】
条件式（２）の上限値において条件式（１０）の上限値を上回らないようにすることで、広い画角を十分に確保しても、プリズムの厚さの増加を抑えられるので、ズームレンズの全長が長くなることを抑えやすくなる。
【００８９】
本実施形態の第８の撮像装置は、上記の基本構成を備え、ωw≧４２（度）であり、以下の条件式（３）を満足することを特徴とする。
３．５≦ＤＴ／（ｆ1Po／ＩＨt）≦１６      （３）
ただし、
ωwは、広角端において無限遠物体に合焦した時の最大半画角、
ｆ1Poは、第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時のズームレンズ全系の焦点距離、
である。
【００９０】
本実施形態の撮像装置は、上述の基本構成に加えて、好ましい条件式（３）を特定するものである。
【００９１】
光学系を広画角にすると、像面湾曲とディストーションが大きくなる。そこで、像面湾曲と共にディストーションの低減を行うことが好ましい。ここで、ディストーションの発生をある程度許容し、撮像素子で撮像した画像でディストーションを電気的に補正することが好ましい。このようにすることで、像面湾曲を良好に補正できるので、これらの収差の補正も含めた最終的な画像の画質確保に有利となる。
【００９２】
ここで、ディストーションは、主に第１正レンズ群物体側系で発生する。そこで、ディストーションの発生を許容するにあたっては、第１正レンズ群物体側系におけるディストーションの発生量を適切に設定し、これにより、反射面の小型化と電気的なディストーション補正を含めた画質確保の両立を図ることが好ましい。
【００９３】
条件式（３）の技術的意義は、既に説明したとおりである。
【００９４】
なお、上記第１〜第８の実施形態の撮像装置におけるそれぞれの構成要件は、複数同時に満足することがより好ましい。更に以下の構成の１つ、更には複数を同時に満足することがより好ましい。
【００９５】
また、第１〜第８の実施形態の撮像装置のうちの何れかの撮像装置（以下、適宜、本実施形態の撮像装置とする）は、第２正レンズ群よりも像側に、負屈折力の第２負レンズ群が配置され、第２負レンズ群よりも像側に、正屈折力の第３正レンズ群が配置され、第１負レンズ群と第２正レンズ群とは、望遠端において、それぞれ絞りの近くに位置し、変倍時、隣り合うレンズ群の間隔はいずれも変化することが好ましい。
【００９６】
本実施形態の撮像装置のズームレンズでは、絞りより物体側に、第１正レンズ群と第１負レンズ群を配置し、絞りより像側に、第２正レンズ群、第２負レンズ群及び第３正レンズ群を配置している。そして、広角端付近で、第１正レンズ群と第１負レンズ群が、絞りに対して離れて配置され、第２正レンズ群、第２負レンズ群及び第３正レンズ群も、絞りに対して離れて配置されている。
【００９７】
このような配置にすることで、ズームレンズ内の屈折力配置の対称性が高まる。その結果、変倍時の軸外収差の変動を抑えることができる。また、変倍時、非点収差、コマ収差及びディストーションが良好に補正された状態を保つことができる。そのため、広画角化にいっそう有利となる。また、上記のレンズ群の配置による屈折力配置は、望遠端付近でテレフォトタイプのような効果を強められるので、ズームレンズの全長の短縮化に有利となる。
【００９８】
また、第２正レンズ群には、第１負レンズ群と同様に、高い変倍作用を持たせている。そのため、第２負レンズ群には、変倍域全域で第２正レンズ群による強い収束作用を緩める作用と、像面側に像をリレーする作用を持たせている。また、第２正レンズ群と第２負レンズ群による変倍作用を適切に確保できるので、高変倍化と第２正レンズ群以降のレンズの小径化に有利となる。
【００９９】
また、第１正レンズ群物体側系の負屈折力が大きくなると、第１正レンズ群物体側系で発生する負のディストーションが大きくなるので、この負のディストーションを低減することが好ましい。そこで、絞りよりも像側に負屈折力の第２負レンズ群を配置し、この第２負レンズ群において適切な大きさの負屈折力を確保することで、第１正レンズ群物体側系で発生する負のディストーションの低減に有利となる。
【０１００】
また、第２負レンズ群の像面側には、第３正レンズ群が位置する。第３正レンズ群は正屈折力を有していることから、この第３正レンズ群を良好な像面の平坦性の確保に寄与させることができる。
【０１０１】
また、第２正レンズ群より像側に、負屈折力の第２負レンズ群が配置され、更にその像側に、正屈折力の第３正レンズ群が配置されることで、撮像素子の撮像面へ入射する光線の入射角度を緩める（光軸と光線のなす角度を小さくする）ことができる。
【０１０２】
また、第２負レンズ群と第３正レンズ群の作用により、高い変倍比を有しながら、変倍域全域に渡って安定した像面の平坦性を確保できる。また、第２負レンズ群と第３正レンズ群は、第２正レンズ群に対して絞りから離れているため、像面の近くに位置する。そのため、球面収差やコマ収差を悪化させることはほとんどない。
【０１０３】
なお、第２負レンズと第３正レンズ群の各々は、それらが持つ作用から、少ないレンズ枚数でレンズ群を構成することができる。この場合、レンズ群を軽量化することができるので、高速で安定したレンズ群（あるいはレンズ）の移動が可能になる。
【０１０４】
また、本実施形態の撮像装置は、合焦時、第２負レンズ群と第３正レンズ群に含まれるいずれかのレンズが、光軸に沿う方向に移動することが好ましい。
【０１０５】
前述のように、第２負レンズ群と第３正レンズ群は、高い変倍比であっても変倍域全域に渡って安定した像面の平坦性を確保できることや、移動させても球面収差やコマ収差を悪化させることがほとんどないことや、少ないレンズ枚数でレンズ群を構成すること、という特徴がある。そこで、変倍以外の目的でレンズ群を移動させる場合、レンズ群の持つ作用や収差変動への影響を考慮すると、第２負レンズ群又は第３正レンズ群に含まれるいずれかのレンズを移動させることが好ましい。
【０１０６】
このようなことから、合焦時、第２負レンズ群と第３正レンズ群に含まれるいずれかのレンズを、光軸に沿って移動させることが好ましい。このようにすることで、合焦時の収差変動が少ない光学性能が確保できる。特に、至近での性能、例えば、球面収差や非点収差の変動が少ないという性能の確保が容易となる。
【０１０７】
また、本実施形態の撮像装置は、ブレ補正時、第２負レンズ群と第３正レンズ群に含まれるいずれかのレンズが、像のブレを打ち消す方向に偏心移動することが好ましい。
【０１０８】
前述のように、変倍以外の目的でレンズ群を移動させる場合、第２負レンズ群又は第３正レンズ群に含まれるいずれかのレンズを移動させることが好ましい。
【０１０９】
このようなことから、ブレ補正時、第２負レンズ群と第３正レンズ群に含まれるいずれかのレンズを、像のブレを打ち消す方向に偏心移動させることが好ましい。このようにすることで、収差変動の少ないブレ補正が可能となる。なお、ブレ補正時の偏心移動には、光軸と直交する方向への移動（シフト）や、光軸と直交する軸を中心とする回転（チルト）、あるいはこれらの組み合わせがある。
【０１１０】
また、本実施形態の撮像装置は、第２負レンズ群は一枚の負レンズからなり、以下の条件式（１２）を満足することが好ましい。
３５≦νｄ2N≦９６      （１２）
ただし、
νｄ2Nは、第２負レンズ群の負レンズのｄ線基準のアッベ数、
である。
【０１１１】
第２負レンズ群において、像のリレー、小型化及び収差補正等の機能を確保したい場合でも、第２負レンズ群を一枚の負レンズで構成することが可能である。この場合、第２負レンズ群で発生する色収差を少なくすることが望ましい。
【０１１２】
条件式（１２）の下限値を下回らないようにすることで、第２負レンズ群を一枚の負レンズで構成しても、分散が大きくなりすぎることを抑えられるので、第２負レンズ群で発生する色収差を小さくできる。また、第２負レンズ群以外のレンズ群は、それぞれ単体で色収差補正が行なわれている。よって、第２負レンズ群単体での色収差が小さければ、製造誤差により各レンズ群に偏心が発生した場合でも、ズームレンズ全体として色収差による性能劣化を抑えやすくなる。
【０１１３】
条件式（１２）の上限値を上回らないようにすることで、第２負レンズ群の分散を適度に確保することができるので、第２正レンズ群又は第３正レンズ群との組み合わせによる色収差の補正効果を持たせやすくなる。その結果、変倍域全域で良好な色収差を確保しやすくなる。
【０１１４】
また、本実施形態の撮像装置は、第１負レンズ群と第２正レンズ群は、第１負レンズ群と第２正レンズ群との間にレンズを挟まずに配置されていることが好ましい。
【０１１５】
第１負レンズ群の像側に、レンズを介さずに第２正レンズ群を配置することで、コストの低減に有利となる。
【０１１６】
また、本実施形態の撮像装置は、第１負レンズ群と第２正レンズ群のほかに、変倍時に移動するレンズ群を含むことが好ましい。
【０１１７】
光学系の広画角化と高変倍比化を行いたい場合、画角が広くなることで、変倍域全域で像面湾曲が発生しやすくなるため、この像面湾曲を補正することが好ましい。そこで、第１負レンズ群と第２正レンズ群に加えて、第２負レンズ群又は第３正レンズ群を変倍時に移動するレンズ群にすることが好ましい。このようにすることで、変倍域全域で像面湾曲を良好に補正することが可能になる。
【０１１８】
また、本実施形態の撮像装置は、第２正レンズ群よりも像側に、正屈折力の第３正レンズ群が配置され、第３正レンズ群は、負屈折力の物体側副群と、正屈折力の像側副群と、からなり、物体側副群と像側副群は、第３正レンズ群中で最も長い空気間隔を挟んで配置され、第１負レンズ群と第２正レンズ群は、望遠端において、それぞれ絞りの近くに位置し、変倍時、隣り合うレンズ群の間隔はいずれも変化することが好ましい。
【０１１９】
本実施形態の撮像装置のズームレンズでは、絞りより物体側に、第１正レンズ群と第１負レンズ群を配置し、絞りより像側に、第２正レンズ群と第３正レンズ群を配置し、更に、第３レンズ群を、物体側から像側に、負屈折力の物体側副群と正屈折力の像側副群とで構成している。そして、広角端付近では、第１正レンズ群と第１負レンズ群が、絞りに対して離れて配置され、第２正レンズ群と第３正レンズ群も、絞りに対して離れて配置されている。
【０１２０】
このような配置にすることで、ズームレンズ内の屈折力配置の対称性が高まる。その結果、変倍時の軸外収差の変動を抑えることができる。また、変倍時、非点収差、コマ収差及びディストーションが良好に補正された状態を保つことができる。そのため、広画角化にいっそう有利となる。また、上記のレンズ群の配置による屈折力配置は、望遠端付近でテレフォトタイプのような効果を強められるので、ズームレンズの全長の短縮化に有利となる。
【０１２１】
また、第２正レンズ群による変倍作用を適切に確保できるので、高変倍化と第２正レンズ群以降のレンズの小径化に有利となる。
【０１２２】
また、第１正レンズ群物体側系の負屈折力が大きくなると、第１正レンズ群物体側系で発生する負のディストーションが大きくなるので、この負のディストーションを低減することが好ましい。そこで、絞りよりも像側に負屈折力の物体側副群を配置し、この物体側副群において適切な大きさの負屈折力を確保することで、第１正レンズ群物体側系で発生する負のディストーションの低減に有利となる。
【０１２３】
また、第２正レンズ群より像側に、負屈折力の物体側副群が配置され、更にその像側に、正屈折力の像側副群が配置されることで、撮像素子の撮像面へ入射する光線の入射角度を緩める（光軸と光線のなす角度を小さくする）ことができる。
【０１２４】
また、本実施形態の撮像装置は、合焦時、第３正レンズ群に含まれるいずれかのレンズが、光軸に沿う方向に移動することが好ましい。
【０１２５】
第３正レンズ群は、高い変倍比であっても変倍域全域に渡って安定した像面の平坦性を確保できることや、球面収差やコマ収差を悪化させることがほとんどない、という特徴がある。
【０１２６】
そこで、合焦時、第３正レンズ群に含まれるいずれかのレンズを、光軸に沿って移動させることが好ましい。このようにすることで、合焦時の収差変動が少ない光学性能が確保できる。特に、至近での性能、例えば、球面収差や非点収差の変動が少ないという性能の確保が容易となる。
【０１２７】
また、本実施形態の撮像装置は、ブレ補正時、第３正レンズ群に含まれるいずれかのレンズが、像のブレを打ち消す方向に偏心移動することが好ましい。
【０１２８】
前述のように、変倍以外の目的でレンズ群を移動させる場合、レンズ群の持つ作用や収差変動への影響を考慮すると、第３正レンズ群に含まれるいずれかのレンズを、移動させることが好ましい。
【０１２９】
このようなことから、ブレ補正時、第３正レンズ群に含まれるいずれかのレンズを、像のブレを打ち消す方向に偏心移動させることが好ましい。このようにすることで、収差変動の少ないブレ補正が可能となる。なお、ブレ補正時の偏心移動には、光軸と直交する方向への移動（シフト）や、光軸と直交する軸を中心とする回転（チルト）、あるいはこれらの組み合わせがある。
【０１３０】
また、本実施形態の撮像装置は、合焦時、第２正レンズ群が光軸に沿う方向に移動することが好ましい。
【０１３１】
変倍時と合焦時、第２正レンズ群を移動させることで、移動機構を簡略化することができる。
【０１３２】
また、本実施形態の撮像装置は、第１負レンズ群は、負屈折力の第１負レンズと、正屈折力の第１正レンズと、を有し、第１負レンズは、最も物体側に配置され、第１正レンズは、第１負レンズよりも像側に、所定の距離だけ離れて配置され、第１負レンズと第１正レンズは、それぞれ非球面を有し、以下の条件式（１１）を満足することが好ましい。
−０．４５≦ＡＳＰ1NP≦−０．０８      （１１）
ただし、
ＡＳＰ1NP＝ＡＳＰ1NPo＋ＡＳＰ1NPiであり、
ＡＳＰ1NPoは、第１正レンズの物体側のレンズ面の非球面偏倚量、
ＡＳＰ1NPiは、第１正レンズの像側のレンズ面の非球面偏倚量、であって、
非球面偏倚量は、望遠端における明るさ絞りの最大光線入射高と同じ光軸からの高さにおいて、光軸に平行な方向に測ったときの参照球面から該レンズ面までの距離であり、像側方向を正符号とし、
参照球面は、上記のレンズ面の面頂と同じ面頂を持ち、該レンズ面の近軸曲率半径を曲率半径とする球面、
である。
【０１３３】
高い変倍比を確保するためには、第１負レンズ群の負屈折力を大きくすることが好ましい。また、上述のように、広い画角の確保とズームレンズの全長の短縮のためには、第１正レンズ群物体側系の負屈折力を大きくすると共に、第１正レンズ群の正屈折力を大きくすることが好ましい。
【０１３４】
第１正レンズ群物体側系の負屈折力と第１正レンズ群の正屈折力の各々を大きくし、これにより光学系を広画角化すると、入射角の大きい光がズームレンズへ入射するようになる。すると、広角端付近では、入射角の大きい光が第１正レンズ群から射出する際、その射出光の光軸に対する角度が非常に大きくなる。そこで、第１負レンズ群内の最も物体側に、負レンズを配置することが好ましい。このようにすることで、この射出光の射出角を小さくできるので、第１負レンズ群から像側にあるレンズ群における径の小径化に有利となる。
【０１３５】
一方、より入射角が大きい光をズームレンズに入射させるためには、この負レンズの負屈折力を大きくすることが好ましい。ただし、負レンズの負屈折力を大きくすると、主に、望遠端付近で正の球面収差が、広角端付近で像面湾曲が発生しやすくなる。そこで、この負レンズに非球面を使用することで、球面収差の発生を抑えることができる。
【０１３６】
更に、この負レンズの像側に、間隔を空けて正レンズを配置することで、非球面によるより高い補正効果を出すことができる。そして、光学系を広画角化しても球面収差の良好な補正と像面の平坦性の両立を図るために、この正レンズにも非球面を使用することが好ましい。負レンズに非球面を使用し、更に、正レンズにも非球面を使用し、加えて、適切な非球面量を確保することで、広い画角を確保しながらも、球面収差の良好な補正と、像面の平坦性を良好に保つことができる。更には、非球面を使用することで、第１負レンズ群を、３枚以下の少ないレンズ枚数で構成することが可能になる。
【０１３７】
条件式（１１）の下限値を下回らないようにすることで、正レンズで発生する球面収差の発生量が大きくなりすぎないようにできるので、正レンズで発生する球面収差を負レンズで補正することが容易となる。また、主に望遠端付近で発生する球面収差を低減することで、高変倍比化に有利となる。
【０１３８】
条件式（１１）の上限を上回らないようにすることで、正レンズで発生する球面収差の良好な補正に有利となる。また、負レンズにおける非球面を、正レンズで発生する球面収差以外の補正、例えば、非点収差の補正にも利用できるので、像面の平坦性の向上に有利となる。
【０１３９】
また、本実施形態の撮像装置は、以下の条件式（１３）を満足することが好ましい。
４．０≦Ｌw／｜ｆ1Po｜≦７．５      （１３）
ただし、
ｆ1Poは、第１正レンズ群物体側系の焦点距離、
Ｌwは、ズームレンズ全系の光軸に沿った全長に、空気換算したバックフォーカス長を加えた距離であって、該距離は、広角端において無限遠物体に合焦した時の距離であり、全長は、ズームレンズの最も物体側のレンズ面から最も像側のレンズ面までの距離、
である。
【０１４０】
条件式（１３）の下限値を下回らないようにすることで、第１正レンズ群物体側系の負屈折力を大きくできるので、十分な広さの画角の確保につながる。また、高い変倍比の確保に有利となる。条件式（１３）の上限値を上回らないようにすることで、ズームレンズの全長を短縮でき、また、撮像装置を小型化することができるので好ましい。
【０１４１】
また、本実施形態の撮像装置は、変倍時及び合焦時、第１正レンズ群から撮像素子までの距離は、常に一定であることが好ましい。
【０１４２】
変倍時及び合焦時に、第１正レンズ群を固定し、更に、結像位置も固定することで、光学系のレイアウトを更に簡素化することができる。
【０１４３】
また、本実施形態の撮像装置は、第１負レンズ群は、負屈折力の第１負レンズと、第２レンズと、を有し、第１負レンズは、最も物体側に配置され、第２レンズは、第１負レンズよりも像側に、所定の距離だけ離れて配置され、以下の条件式（１４）を満足することが好ましい。
０．１５≦Ｌ1Nair／ＩＨt≦０．７      （１４）
ただし、
Ｌ1Nairは、第１負レンズから第２レンズまでの光軸に沿った空気間隔、
ＩＨtは、望遠端において無限遠物体に合焦した時の最大像高、
である。
【０１４４】
条件式（１４）の下限値を下回らないようにすることで、第１負レンズと第２レンズとの間で、必要な空気間隔を確保することができる。これにより、広角端付近で第１負レンズにより発生する像面湾曲を、第２レンズで補正することが容易となる。また、変倍時、広角端付近での像面湾曲の変動を小さくできる。また、望遠端付近での主に負の球面収差とコマ収差を低減しやすくなるので、変倍域全域で良好な性能を確保しやすくなる。
【０１４５】
条件式（１４）の上限値を上回らないようにすることで、第１負レンズの負屈折力が大きくなりすぎることを抑えやすくなる。この場合、像面湾曲が正の方向に発生量する傾向を抑えやすくなる。また、望遠端付近での正の球面収差の低減に有利となる。
【０１４６】
また、本実施形態の撮像装置は、以下の条件式（１５）を満足することが好ましい。
０．７５≦｜ｆ1P／ｆ1Po｜≦１．８      （１５）
ただし、
ｆ1Pは、第１正レンズ群の焦点距離、
ｆ1Poは、第１正レンズ群物体側系の焦点距離、
である。
【０１４７】
条件式（１５）の下限値を下回らないようにすることで、広角端での広画角化につながる。条件式（１５）の上限値を上回らないようにすることで、高い変倍比の確保とズームレンズの全長の短縮化の両立につながる。
【０１４８】
また、本実施形態の撮像装置は、以下の条件式（９−１）を満足することが好ましい。
１．５≦｜ｆ1Po／ＩＨt｜≦３．６      （９−１）
ただし、
ｆ1Poは、第１正レンズ群物体側系の焦点距離、
ＩＨtは、望遠端において無限遠物体に合焦した時の最大像高、
である。
【０１４９】
条件式（９−１）の技術的意義は、条件式（９）における技術的意義と同じである。
【０１５０】
また、本実施形態の撮像装置は、以下の条件式（１６）を満足することが好ましい。
０．３７≦ｆ1N／ｆ1Po≦０．９      ・・・（１６）
ただし、
ｆ1Nは、第１負レンズ群の焦点距離、
ｆ1Poは、第１正レンズ群物体側系の焦点距離、
である。
【０１５１】
条件式（１６）は、広い画角を確保した場合でも、像面湾曲やディストーションの収差補正の向上に有利となる条件である。
【０１５２】
条件式（１６）の下限値を下回らないようにすることで、第１負レンズ群での非点収差の発生が抑えやすくなるので、変倍域での像面湾曲の変動を低減しやすくなる。条件式（１６）の上限値を上回らないようにすることで、第１正レンズ群物体側系の負屈折力を適度な大きさに抑えられるので、ディストーションの低減や、高い変倍比の確保とズームレンズの全長の短縮化の両立に有利となる。
【０１５３】
また、本実施形態の撮像装置は、以下の条件式（１７）を満足することが好ましい。
−２８≦ＤＴ≦−１３      （１７）
ただし、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時のズームレンズ全系の焦点距離、
ωwは、広角端において無限遠物体に合焦した時の最大半画角、
である。
【０１５４】
反射部材を小さくするには、入射瞳をより物体側に位置させる必要がある。しかしながら、入射瞳をより物体側に位置させると、負のディストーションが大きく発生する傾向となる。そのため、ディストーション量を最適化することが好ましい。
【０１５５】
条件式（１７）の下限値を下回ると、反射部材を小さくすることが容易となるが、条件式（１７）の下限値を下回らないようにすることで、ディストーションの負の発生量が大きくなることを抑え、電気的にディストーションを補正した場合の解像力の劣化を抑えやすくなる。
【０１５６】
条件式（１７）の上限値を上回らないようにすることで、広い画角を確保しようとした場合でも、反射部材を小さくできるので、小型化に有利となる。または、第１負レンズ群の負屈折力が大きくなることを抑えやすくなるので、非点収差が低減できる。これにより、高変倍比化をした際にも、像面の平坦性を確保しやすくなる。
【０１５７】
また、本実施形態の撮像装置は、以下の条件式（１８）を満足することが好ましい。
−０．０５≦ｆw／ｒ1F≦０．０８５      （１８）
ただし、
ｆwは、広角端において無限遠物体に合焦した時のズームレンズ全系の焦点距離、
ｒ1Fは、第１正レンズ群物体側系中の最も物体側のレンズの物体側面の近軸曲率半径、
である。
【０１５８】
条件式（１８）の下限値を下回らないようにすることで、第１正レンズ群物体側系で発生する負のディストーションを低減し、電気的にディストーションを補正した場合の解像力の大きな劣化を抑えやすくなる。条件式（１８）の上限値を上回らないようにすることで、第１正レンズ群物体側系に十分な大きさの負屈折力を持たせやすくなるので、広画角を得やすくなる。
【０１５９】
また、本実施形態の撮像装置は、第１正レンズ群は、反射部材よりも物体側に１枚の負レンズを有し、且つ、反射部材よりも物体側のレンズの総数は１であることが好ましい。
【０１６０】
光路の折り曲げ厚さを薄くできるので、折り曲げ部の薄型化に有利となる。
【０１６１】
また、本実施形態の撮像装置は、第１正レンズ群は、反射部材よりも物体側にガラスの負レンズを有し、以下の条件式（１９）を満足することが好ましい。
１．９≦ｎｄ1PN≦２．４      （１９）
ただし、
ｎｄ1PNは、ガラスの負レンズのｄ線における屈折率、
である。
【０１６２】
第１正レンズ群の最も物体側面から反射部材までの距離は、光路の折り曲げ厚さを決める重要な距離である。よって、条件式（１９）を満足することで、ガラスの負レンズの負屈折力を大きくしつつ、第１正レンズ群の最も物体側面から反射面までの距離を短くすることができる。
【０１６３】
条件式（１９）の下限値を下回らないようにすることで、ガラスの負レンズの像面側の曲率半径を大きくできる。これにより、ガラスの負レンズから反射面までの距離を縮めることができるので、撮像装置の薄型化に有利となる。
【０１６４】
なお、光学ガラスは、屈折率が高くなるほど、短波長側ほど透過率が低下する（短波長側ほど吸収率が大きい）性質がある。青色付近、例えば、４００ｎｍ〜４５０ｎｍの波長帯は、色再現に重要な波長帯である。条件式（１９）の上限値を上回らないようにすることで、色再現に重要な短波長側の光の透過率、例えば、４００ｎｍ〜４５０ｎｍの波長帯の光に対する透過率の著しい低下を抑えられる。その結果、色再現の良好な像（画像）を得ることができる。
【０１６５】
また、本実施形態の撮像装置は、反射部材はプリズムであることが好ましい。
【０１６６】
光学系を広画角化して第１正レンズ群内で光路を折り曲げるにあたり、反射部材をガラスのプリズムにすることで、第１正レンズ群物体側系における適切な大きさの負屈折力と、光路の折り曲げに必要なスペースの確保に有利となる。
【０１６７】
また、本実施形態の撮像装置は、以下の条件式（２０）、（２１）を満足することが好ましい。
１５≦νｄpri≦３０      （２０）
１．８≦ｎｄpri≦２．３      （２１）
ただし、
νｄpriは、プリズムのｄ線基準のアッベ数、
ｎｄpriは、プリズムのｄ線における屈折率、
である。
【０１６８】
第１正レンズ群物体側系では、広い画角を確保するために、負屈折力が大きくなりやすい。さらに、第１正レンズ群像側系と組み合わせて効率的に色収差を補正するためには、第１正レンズ群物体側系における分散は大きい方が良い。そうすると、望遠端付近で第１正レンズ群物体側系の倍率色収差が大きくなってくる。そのため、軸上色収差への影響（軸上色収差とのバランス）を考慮して収差補正を行なうことが好ましい。ここで、倍率色収差は軸上色収差の発生量に影響を及ぼすため、軸上色収差への影響（軸上色収差とのバランス）を考慮して収差補正を行なうことが好ましい。
【０１６９】
そこで、プリズムを用いることで、望遠端付近で軸上色収差を負側に発生させることができる。そのため、第１正レンズ群物体側系と第１正レンズ群像側系とで倍率色収差の補正を行なった場合に軸上色収差が残存しても、プリズムで発生する負の軸上色収差を使って、残存した軸上色収差の補正ができる。
【０１７０】
条件式（２０）の下限値を下回らないようにすることで、軸上色収差が補正過剰となることを防げるので、色のにじみを抑えた良好な画像を得やすくなる。条件式（２０）の上限値を上回らないようにすることで、軸上色収差が補正不足となることを防げるので、色のにじみを抑えた良好な画像を得やすくなる。
【０１７１】
条件式（２１）は、光学系を広画角化しながら、光路の折り曲げに必要なスペースを確保するために好ましい条件である。
【０１７２】
条件式（２１）の下限値を下回らないようにすることで、プリズムで十分な光路長を確保できるので、小型化に有利となる。
【０１７３】
条件式（２１）の上限値を上回らないようにすることで、色再現に重要な短波長側の光の透過率、例えば、４００ｎｍ〜４５０ｎｍの波長帯の光に対する透過率の著しい低下を抑えられる。その結果、色再現の良好な像（画像）を得ることができる。
【０１７４】
また、本実施形態の撮像装置は、変倍時及び合焦時、絞りは静止していることが好ましい。
【０１７５】
変倍時及び合焦時に、絞りを固定とする（静止させる）ことで、移動するレンズ群の重量増加を抑えることができ、これにより駆動機構に対する負荷を低減できる。
【０１７６】
また、本実施形態の撮像装置は、第１負レンズ群と第２正レンズ群との間に、正レンズが配置され、変倍時及び合焦時、絞りと正レンズは静止していることが好ましい。
【０１７７】
このようにすることで、第２正レンズ群の有効径を小さくできるので、撮像装置の薄型化に有利となる。
【０１７８】
また、本実施形態の撮像装置は、反射部材はパワーレスのプリズムであり、以下の条件式（２２）を満足することが好ましい。
５．６≦ｔａｎωw／（Ｌpri／Ｌw）≦  ９．５      ・・・（２２）
ただし、
ωwは、広角端において無限遠物体に合焦した時の最大半画角、
Ｌpriは、プリズムの光軸に沿った全長であって、該全長は、プリズムを構成する光学面のうちの、反射面よりも物体側にある光学面から反射面よりも像側にある光学面までの距離、
Ｌwは、ズームレンズ全系の光軸に沿った全長に、空気換算したバックフォーカス長を加えた距離であって、該距離は、広角端において無限遠物体に合焦した時の距離であり、全長は、ズームレンズの最も物体側のレンズ面から最も像側のレンズ面までの距離、
である。
【０１７９】
光学系を広画角化し、第１正レンズ群で光路を折り曲げるにあたっては、第１正レンズ群物体側系と第１正レンズ群像側系との間で、光路の折り曲げに必要な光路長を確保する必要がある。そのためには、第１正レンズ群物体側系の負屈折力を大きくすると共に、第１正レンズ群像側系の正屈折力を大きくすることが好ましい。その場合、広角端付近で主にディストーションや非点収差を低減し、望遠端付近で主に球面収差やコマ収差を低減することが好ましい。
【０１８０】
そこで、反射部材をプリズムにすることで、第１正レンズ群物体側系の負屈折力が大きくなりすぎないようにしても、反射部材（プリズム）の配置スペースを第１正レンズ群内で確保ができる。このように、第１正レンズ群物体側系の負屈折力が大きくなりすぎないことから、反射部材をプリズムにすることは、良好な収差補正を得る上で効果を奏する。
【０１８１】
また、第１正レンズ群物体側系の負屈折力と第１正レンズ群像側系群の正屈折力とで、諸収差を補正している。そこで、プリズムとしてパワーが無いプリズム、すなわち、入射面（反射面よりも物体側にある光学面）、反射面及び射出面（反射面よりも像側にある光学面）がいずれも平面であるプリズムを用いることで、これら諸収差のバランスを殆ど崩さずに反射面を配置できる。これにより、製造誤差による光学性能の劣化を抑えることに有利となる。
【０１８２】
条件式（２２）の下限値を下回らないようにすることで、プリズムの厚さを低減し、小型化に有利となる。条件式（２２）の上限値を上回らないようにすることで、第１正レンズ群物体側系における負屈折力の負担を低減できるので、ディストーションや非点収差の低減に有利となる。
【０１８３】
また、本実施形態の撮像装置は、ωw≧４２（度）であり、反射部材はプリズムであり、以下の条件式（２３）、（２４）を満足することが好ましい。
０．５５≦（τ４２０）A      （２３）
０．４７≧（τ４００）A      （２４）
ただし、
τ４２０は、プリズムを構成する材料の厚さ１０ｍｍにおける波長４２０ｎｍ光の内部透過率、
τ４００は、プリズムを構成する材料の厚さ１０ｍｍにおける波長４００ｎｍ光の内部透過率、
Ａ＝Ｌpri／１０ｍｍであり、
Ｌpriは、プリズムの光軸に沿った全長であって、該全長は、プリズムを構成する光学
面のうちの、反射面よりも物体側にある光学面から反射面よりも像側にある光学面までの距離、
である。
【０１８４】
像の周辺部、すなわち画角が大きな領域では、倍率色収差が大きくなりやすくなる。色収差補正のためには、第１正レンズ群物体側系にアッベ数が小さい負レンズを使用することが好ましい。ただし、その場合でも、短波長側の色にじみの影響を低減させることが好ましい。
【０１８５】
ここで、反射部材をガラスのプリズムにすることで、第１正レンズ群物体側系の負屈折力が大きくなりすぎることを抑えつつ、光路の折り曲げに必要な光路長を確保でき、良好な画像を得ることに有利となる。また、反射部材をガラスのプリズムにすると共に、このプリズムにおける短波長側の透過率を適切に設定することで、色にじみの発生を減らすことができるので、良好な画像の獲得に有利となる。
【０１８６】
ここで、４２０ｎｍ付近の波長の光に対しては色収差補正が行い易いが、４００ｎｍ付近の波長の光に対しては色収差が残りやすい。条件式（２３）と条件式（２４）を満たすことにより、色収差補正を良好にできる波長域では透過率を高め、色にじみへの影響が生じやすい波長域では透過率を低減させることで良好な画像を得やすくなる。
【０１８７】
また、本実施形態の撮像装置は、第１正レンズ群像側系が、以下の条件式（２５）を満足することが好ましい。
２．０≦ｆ1Pi×ｆw／ＩＨt2≦３．０      （２５）
ただし、
ｆ1Piは、第１正レンズ群像側系の焦点距離、
ｆwは、広角端において無限遠物体に合焦した時のズームレンズ全系の焦点距離、
ＩＨtは、望遠端において無限遠物体に合焦した時の最大像高、
である。
【０１８８】
第１正レンズ群像側系の正屈折力を大きくすることで、第１正レンズ群物体側系の負屈折力と第１正レンズ群の正屈折力の双方を、同時に大きくすることに有利となる。第１正レンズ群物体側系の負屈折力を高めると、入射瞳を物体側に位置させることができる。よって、第１正レンズ群物体側系の負屈折力を高めることは、広い画角の確保と、第１正レンズ群の小型化に有利となる。第１正レンズ群の正屈折力を高めることは、高変倍比化とズームレンズ全長の短縮に有利となる。
【０１８９】
条件式（２５）の下限値を下回らないようにして、第１正レンズ群像側系の屈折力が大きくなりすぎることを抑えることで、広角端側で目立ちやすくなる軸外収差の発生を低減しやすくなる。また、望遠端側での負の球面収差や正のディストーションの発生を低減しやすくなる。
【０１９０】
条件式（２５）の上限値を上回らないようにすることで、第１正レンズ群の正屈折力の十分な確保に有利となり、ズームレンズの全長の短縮化と高い変倍比の確保の両立に有利となる。
【０１９１】
上述の各構成は、複数を同時に満足することがより好ましい。
【０１９２】
また、各条件式について、下限値、上限値の何れかまたは双方を限定することで、その機能をより確実にできるので好ましい。
条件式（１）について、
下限値を５．０、更には５．５とすることがより好ましい。
上限値を７．３５、更には７．２２とすることがより好ましい。
条件式（２）について、
下限値を０．７３とすることがより好ましい。
上限値を１．１とすることがより好ましい。
条件式（３）について、
下限値を５．０、更には７．０とすることがより好ましい。
上限値を１３、更には１０とすることがより好ましい。
条件式（４）について、
下限値を５．０とすることがより好ましい。
上限値を８．５とすることがより好ましい。
条件式（５）、（５−１）について、
下限値を５．９とすることがより好ましい。
上限値を９．５、更には８．５とすることがより好ましい。
条件式（６）について、
下限値を１．４とすることがより好ましい。
上限値を３．４とすることがより好ましい。
条件式（７）について、
下限値を１．８とすることがより好ましい。
上限値を２．５５とすることがより好ましい。
条件式（８）について、
下限値を１．０とすることがより好ましい。
上限値を３．４とすることがより好ましい。
条件式（９）、（９−１）について、
下限値を１．５、更には１．８とすることがより好ましい。
上限値を３．３、更には３．１とすることがより好ましい。
条件式（１０）について、
下限値を１．５とすることがより好ましい。
上限値を２．７とすることがより好ましい。
条件式（１１）について、
下限値を−０．４とすることがより好ましい。
上限値を−０．１とすることがより好ましい。
条件式（１２）について、
下限値を４２とすることがより好ましい。
上限値を７０とすることがより好ましい。
条件式（１３）について、
下限値を４．５とすることがより好ましい。
上限値を６．５とすることがより好ましい。
条件式（１４）について、
下限値を０．２とすることがより好ましい。
上限値を０．５５とすることがより好ましい。
条件式（１５）について、
下限値を０．９とすることがより好ましい。
上限値を１．５とすることがより好ましい。
条件式（１６）について、
下限値を０．４とすることがより好ましい。
上限値を０．８２とすることがより好ましい。
条件式（１７）について、
下限値を−２５とすることがより好ましい。
上限値を−１６とすることがより好ましい。
条件式（１８）について、
下限値を０．０２、更には０．０とすることがより好ましい。
上限値を０．０８とすることがより好ましい。
条件式（１９）について、
下限値を２．０とすることがより好ましい。
上限値を２．２とすることがより好ましい。
条件式（２０）について、
下限値を１７とすることがより好ましい。
条件式（２１）について、
下限値を１．９とすることがより好ましい。
上限値を２．２とすることがより好ましい。
条件式（２２）について、
下限値を６．０、更には６．２とすることがより好ましい。
上限値を８．５、更には７．５とすることがより好ましい。
条件式（２３）について、
下限値を０．５６５とすることがより好ましい。
上限値は１．０でよい。
条件式（２４）について、
下限値は０でよい。
上限値を０．４５とすることがより好ましい。
条件式（２５）について、
下限値を２．１、更には２．２とすることがより好ましい。
上限値を２．９、更には２．８とすることがより好ましい。
【０１９３】
なお、上述の撮像装置は、複数の構成を同時に満足してもよい。このようにすることが、良好な光撮像装置を得る上で好ましい。また、好ましい構成の組み合わせは任意である。また、各条件式について、より限定した条件式の数値範囲の上限値あるいは下限値のみを限定しても構わない。
【０１９４】
ωw（広角端において無限遠物体に合焦した時の最大半画角）について、図１７を用いて説明する。図１７には、ズームレンズ、明るさ絞り及び撮像面が、光軸上に配置されている様子が示されている。ズームレンズに入射した光線は、明るさ絞りを通過したのち、ズームレンズから出射して撮像面に到達する。
【０１９５】
図１７において、実線で示す光線Ｌは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、ωwは、広角端における、光線Ｌの光軸に対する半画角である。
【０１９６】
以下に、本発明に係る撮像装置に用いられるズームレンズの実施例を、図面に基づいて詳細に説明する。なお、この実施例によりこの発明が限定されるものではない。
【０１９７】
以下、ズームレンズの実施例１〜８について説明する。実施例１〜８のレンズ断面図を、それぞれ図１〜図８に示す。図１〜図８中、（ａ）は、広角端におけるレンズ断面図、（ｂ）は、中間焦点距離状態におけるレンズ断面図、（ｃ）は、望遠端におけるレンズ断面図である。なお、（ａ）〜（ｃ）は、いずれも、無限遠物体合焦時のレンズ断面図である。
【０１９８】
また、第１レンズ群はＧ１、第２レンズ群はＧ２、開口絞り（明るさ絞り）はＳ、第３レンズ群はＧ３、第４レンズ群はＧ４、第５レンズ群はＧ５、第６レンズ群はＧ６、ローパスフィルタを構成する平行平板はＦ、電子撮像素子のカバーガラスの平行平板はＣ、像面はＩで示してある。なお、平行平板はＦの表面に、赤外光を制限する波長域制限コートを施しても良い。また、カバーガラスＣの表面に波長域制限用の多層膜を施してもよい。また、そのカバーガラスＣにローパスフィルタ作用を持たせるようにしてもよい。
【０１９９】
実施例１〜８において、反射面はプリズムに設けられている。この反射面は平面で、光軸上ではプリズムの物体側屈折面と像側屈折面の中間に、光軸に対して略４５度傾いて配置されている。また、この反射面は、プリズム内部を通過する光を反射するので、裏面反射面となっている。よって、プリズムは、裏面反射プリズムとなっている。なお、反射面の図示及び数値データでは省略されており、プリズムの物体側屈折面と像側屈折面が図示及び数値データに記載されている。
【０２００】
また、像面はＩには、撮像素子が配置されている。撮像素子上の撮像領域が略矩形の場合、撮像領域の短辺方向とズームレンズへの入射光軸がほぼ平行となるように、撮像素子を配置することが好ましい。このような配置にすると、ズームレンズの入射光軸方向の小型化に有利となり、撮像装置の薄型化につながる。
【０２０１】
実施例１〜８のズームレンズでは、像高は、中間焦点距離状態と望遠端が同じで、これらに比べて、広角端での像高が小さくなっている。これは、広角端における像をたる型形状にして、たる型の画像を電気的に矩形の画像に変換することでディストーションを補正するからである。電気的なディストーション補正については、詳細は後述する。
【０２０２】
実施例１〜８のズームレンズは、正屈折力の第１正レンズ群と、負屈折力の第１負レンズ群と、絞りと、正屈折力の第２正レンズ群と、を有し、第１正レンズ群と、第１負レンズ群とが、物体側から像側に、この順で配置され、第２正レンズ群は、第１負レンズ群よりも像側に配置され、絞りは、第１負レンズ群と第２正レンズ群の間に配置され、広角端から望遠端への変倍時に、第１正レンズ群は静止し、第１負レンズ群は像側に移動し、第２正レンズ群は物体側に移動する。
【０２０３】
実施例１〜４、６ズームレンズは、屈折力配置（絞りＳを含む）が、正負Ｓ正負正となっている。ここで、第１正レンズ群が第１レンズ群Ｇ１、第１負レンズ群が第２レンズ群Ｇ２、第２正レンズ群が第３レンズ群はＧ３である。また、実施例５、７のズームレンズは、屈折力配置（絞りＳを含む）が、正負正Ｓ正正となっている。ここで、第１正レンズ群が第１レンズ群Ｇ１、第１負レンズ群が第２レンズ群Ｇ２、第２正レンズ群が第４レンズ群Ｇ４である。また、実施例８のズームレンズは、屈折力配置（絞りＳを含む）が、正負Ｓ正正負正となっている。ここで、第１正レンズ群が第１レンズ群Ｇ１、第１負レンズ群が第２レンズ群Ｇ２、第２正レンズ群が第４レンズ群Ｇ４である。
【０２０４】
このような構成にすることで、実施例１〜８では、ズームレンズの全長の短縮化と、高い変倍比の確保に有利となる。また、屈折力配置の対称性を高める構成であるため、変倍時における軸外の収差変動、特に、非点収差やコマ収差などの軸外収差が良好に補正された状態を保つことが容易になる。
【０２０５】
また、第１負レンズ群（第２レンズ群Ｇ２）の望遠端における位置は、広角端における位置よりも像側であり、第２正レンズ群（第３レンズ群Ｇ３（実施例１〜４、６）、第４レンズ群Ｇ４（実施例５、７、８））の望遠端における位置は、広角端における位置よりも物体側となっている。この結果、光学系を広画角化しても、第１正レンズ群（第１レンズ群Ｇ１）の径を小さくできると共に、高い変倍比の確保がより容易となる。
【０２０６】
また、第１正レンズ群（第１レンズ群Ｇ１）は、変倍時だけでなく、合焦時も静止している。このようにすることで、ズームレンズにおける光学系（レンズ群）のレイアウトをより簡素化できる。その結果、より小型の撮像装置を実現できる。
【０２０７】
また、第１正レンズ群（第１レンズ群Ｇ１）は、光路を折り曲げる反射面を有する反射部材と、第１正レンズ群物体側系と、第１正レンズ群像側系と、を備え、第１正レンズ群物体側系は、反射面よりも物体側に位置すると共に、負屈折力を有し、第１正レンズ群像側系は、反射面よりも像側に位置すると共に、正屈折力を有する。このようにすることで、第１正レンズ群（第１レンズ群Ｇ１）において、適切な正屈折力を確保することができる。また、反射部材の配置スペースを小さくすることができる。
【０２０８】
実施例１のズームレンズは、図１に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０２０９】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、物体側に凸面を向けた正メニスカスレンズＬ５と、で構成されている。第３レンズ群Ｇ３は、両凸正レンズＬ６と、物体側に凸面を向けた負メニスカスレンズＬ７と、両凸正レンズＬ８と、で構成されている。ここで、負メニスカスレンズＬ７と、両凸正レンズＬ８とが、接合されている。第４レンズ群Ｇ４は、両凹負レンズＬ９で構成されている。第５レンズ群Ｇ５は、両凸正レンズＬ１０で構成されている。
【０２１０】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０２１１】
非球面は、両凸正レンズＬ３の両面と、両凹負レンズＬ４の両面と、正メニスカスレンズＬ５の両面と、両凸正レンズＬ６の両面と、両凹負レンズＬ９の両面と、両凸正レンズＬ１０の両面との、合計１２面に設けられている。
【０２１２】
無限遠物体から至近距離物体への合焦時、第４レンズ群Ｇ４が、光軸に沿って像側に移動する。
【０２１３】
実施例２のズームレンズは、図２に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０２１４】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、物体側に凸面を向けた正メニスカスレンズＬ５と、で構成されている。第３レンズ群Ｇ３は、両凸正レンズＬ６と、物体側に凸面を向けた負メニスカスレンズＬ７と、両凸正レンズＬ８と、で構成されている。ここで、負メニスカスレンズＬ７と、両凸正レンズＬ８とが、接合されている。第４レンズ群Ｇ４は、両凹負レンズＬ９で構成されている。第５レンズ群Ｇ５は、両凸正レンズＬ１０で構成されている。
【０２１５】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０２１６】
非球面は、両凸正レンズＬ３の両面と、両凹負レンズＬ４の両面と、正メニスカスレンズＬ５の両面と、両凸正レンズＬ６の両面と、両凹負レンズＬ９の両面と、両凸正レンズＬ１０の両面との、合計１２面に設けられている。
【０２１７】
無限遠物体から至近距離物体への合焦時、第５レンズ群Ｇ５が、光軸に沿って物体側に移動する。
【０２１８】
実施例３のズームレンズは、図３に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０２１９】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、両凹負レンズＬ５と、物体側に凸面を向けた正メニスカスレンズＬ６と、で構成されている。第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と、両凸正レンズＬ９とが、接合されている。第４レンズ群Ｇ４は、両凹負レンズＬ１０で構成されている。第５レンズ群Ｇ５は、両凸正レンズＬ１１で構成されている。
【０２２０】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動した後、像側に移動し、第５レンズ群Ｇ５は固定（静止）である。
【０２２１】
非球面は、両凸正レンズＬ３の両面と、両凹負レンズＬ４の両面と、両凹負レンズＬ５の両面と、正メニスカスレンズＬ６の両面と、両凸正レンズＬ７の両面と、両凹負レンズＬ１０の両面と、両凸正レンズＬ１１の両面との、合計１４面に設けられている。
【０２２２】
無限遠物体から至近距離物体への合焦時、第５レンズ群Ｇ５が、光軸に沿って物体側に移動する。また、ブレ補正時、第４レンズ群Ｇ４が光軸と直交する方向へ移動する。
【０２２３】
実施例４のズームレンズは、図４に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０２２４】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、両凸正レンズＬ５と、像側に凸面を向けた負メニスカスレンズＬ６と、で構成されている。第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と、両凸正レンズＬ９とが、接合されている。第４レンズ群Ｇ４は、両凹負レンズＬ１０で構成されている。第５レンズ群Ｇ５は、両凸正レンズＬ１１で構成されている。
【０２２５】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０２２６】
非球面は、両凸正レンズＬ３の両面と、両凹負レンズＬ４の両面と、両凸正レンズＬ７の両面と、両凸正レンズＬ９の像側面と、両凹負レンズＬ１０の両面と、両凸正レンズＬ１１の両面との、合計１１面に設けられている。
【０２２７】
無限遠物体から至近距離物体への合焦時、第４レンズ群Ｇ４が、光軸に沿って像側に移動する。また、ブレ補正時、第４レンズ群Ｇ４が光軸と直交する方向へ移動する。
【０２２８】
実施例５のズームレンズは、図５に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３と、正屈折力の第４レンズ群Ｇ４（第２正レンズ群）と、正屈折力の第５レンズ群Ｇ５（第３正レンズ群）と、で構成されている。開口絞り（絞り）Ｓは第２レンズ群Ｇ２（第１負レンズ群）と、第４レンズ群Ｇ４（第２正レンズ群）との間に配置されている。
【０２２９】
第１レンズ群Ｇ１は、物体側に凸面を向けた負メニスカスレンズＬ１と、プリズムＬ２と、両凸正レンズＬ３と、両凸正レンズＬ４と、で構成されている。第２レンズ群Ｇ２は、両凹負レンズＬ５と、両凹負レンズＬ６と、両凸正レンズＬ７と、で構成されている。ここで、両凹負レンズＬ６と、両凸正レンズＬ７とが、接合されている。第３レンズ群Ｇ３は、両凸正レンズＬ８で構成されている。第４レンズ群Ｇ４は、両凸正レンズＬ９と、両凹負レンズＬ１０と、両凸正レンズＬ１１と、で構成されている。ここで、両凸正レンズＬ９と、両凹負レンズＬ１０とが、接合されている。第５レンズ群Ｇ５は、両凹負レンズＬ１２と、両凸正レンズＬ１３と、両凸正レンズＬ１４と、で構成されている。
【０２３０】
広角端から望遠端への変倍時、第１レンズ群Ｇ１は固定（静止）であり、第２レンズ群Ｇ２は像側に移動し、第３レンズ群Ｇ３は固定（静止）であり、開口絞りＳは固定（静止）であり、第４レンズ群Ｇ４は物体側に移動し、第５レンズ群Ｇ５は固定（静止）である。
【０２３１】
非球面は、両凸正レンズＬ３の物体側面と、両凸正レンズＬ４の像側面と、両凹負レンズＬ５の両面と、両凸正レンズＬ８の両面と、両凸正レンズＬ９の物体側面と、両凸正レンズＬ１１の像側面と、両凸正レンズＬ１３の物体側面と、両凸正レンズＬ１４の像側面との、合計１０面に設けられている。
【０２３２】
無限遠物体から至近距離物体への合焦時、第４レンズ群Ｇ４が、光軸に沿って物体側に移動する。また、ブレ補正時、第５レンズ群Ｇ５の両凸正レンズＬ１４、フィルタＦ、カバーガラスＣ及び撮像素子が光軸と直交する方向へ移動する。
【０２３３】
実施例６のズームレンズは、図６に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０２３４】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、両凸正レンズＬ５と、で構成されている。第３レンズ群Ｇ３は、両凸正レンズＬ６と、物体側に凸面を向けた負メニスカスレンズＬ７と、両凸正レンズＬ８と、で構成されている。ここで、負メニスカスレンズＬ７と、両凸正レンズＬ８とが、接合されている。第４レンズ群Ｇ４は、両凹負レンズＬ９で構成されている。第５レンズ群Ｇ５は、両凸正レンズＬ１０と、像側に凸面を向けた負メニスカスレンズＬ１１と、で構成されている。
【０２３５】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０２３６】
非球面は、両凸正レンズＬ３の両面と、両凹負レンズＬ４の両面と、両凸正レンズＬ５の両面と、両凸正レンズＬ６の両面と、両凹負レンズＬ９の両面と、両凸正レンズＬ１０の両面との、合計１２面に設けられている。
【０２３７】
無限遠物体から至近距離物体への合焦時、第４レンズ群Ｇ４が、光軸に沿って像側に移動する。また、ブレ補正時、第４レンズ群Ｇ４が光軸と直交する方向へ移動する。
【０２３８】
実施例７のズームレンズは、図７に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３と、正屈折力の第４レンズ群Ｇ４（第２正レンズ群）と、正屈折力の第５レンズ群Ｇ５（第３正レンズ群）と、で構成されている。開口絞り（絞り）Ｓは第２レンズ群Ｇ２（第１負レンズ群）と、第４レンズ群Ｇ４（第２正レンズ群）との間に配置されている。
【０２３９】
第１レンズ群Ｇ１は、物体側に凸面を向けた負メニスカスレンズＬ１と、プリズムＬ２と、両凸正レンズＬ３と、両凸正レンズＬ４と、で構成されている。第２レンズ群Ｇ２は、両凹負レンズＬ５と、両凹負レンズＬ６と、両凸正レンズＬ７と、で構成されている。ここで、両凹負レンズＬ６と、両凸正レンズＬ７とが、接合されている。第３レンズ群Ｇ３は、両凸正レンズＬ８で構成されている。第４レンズ群Ｇ４は、両凸正レンズＬ９と、両凹負レンズＬ１０と、両凸正レンズＬ１１と、で構成されている。ここで、両凸正レンズＬ９と、両凹負レンズＬ１０とが、接合されている。第５レンズ群Ｇ５は、両凹負レンズＬ１２と、両凸正レンズＬ１３と、両凸正レンズＬ１４と、で構成されている。
【０２４０】
広角端から望遠端への変倍時、第１レンズ群Ｇ１は固定（静止）であり、第２レンズ群Ｇ２は像側に移動し、第３レンズ群Ｇ３は固定（静止）であり、開口絞りＳは固定（静止）であり、第４レンズ群Ｇ４は物体側に移動し、第５レンズ群Ｇ５は固定（静止）である。
【０２４１】
非球面は、両凸正レンズＬ３の物体側面と、両凸正レンズＬ４の像側面と、両凹負レンズＬ５の両面と、両凸正レンズＬ８の両面と、両凸正レンズＬ９の物体側面と、両凸正レンズＬ１１の像側面と、両凸正レンズＬ１３の物体側面と、両凸正レンズＬ１４の像側面との、合計１０面に設けられている。
【０２４２】
無限遠物体から至近距離物体への合焦時、第５レンズ群Ｇ５の両凸正レンズＬ１４が、光軸に沿って物体側に移動する。また、ブレ補正時、第５レンズ群Ｇ５の両凹負レンズＬ１２と両凸正レンズＬ１３とが、光軸と直交する方向へ移動する。
【０２４３】
実施例８のズームレンズは、図８に示すように、物体側から順に、正屈折力の第１レンズ群（第１正レンズ群）Ｇ１と、負屈折力の第２レンズ群（第１負レンズ群）Ｇ２と、正屈折力の第３レンズ群Ｇ３と、正屈折力の第４レンズ群（第２正レンズ群）Ｇ４と、負屈折力の第５レンズ群（第２負レンズ群）Ｇ５と、正屈折力の第６レンズ群（第３正レンズ群）Ｇ６と、で構成されている。開口絞り（絞り）Ｓは第２レンズ群（第１負レンズ群）Ｇ２と、第４レンズ群（第２正レンズ群）Ｇ４との間に配置されている。
【０２４４】
第１レンズ群Ｇ１は、物体側に凸面を向けた負メニスカスレンズＬ１と、プリズムＬ２と、両凸正レンズＬ３と、両凸正レンズＬ４と、で構成されている。第２レンズ群Ｇ２は、両凹負レンズＬ５と、両凹負レンズＬ６と、両凸正レンズＬ７と、で構成されている。ここで、両凹負レンズＬ６と、両凸正レンズＬ７とが、接合されている。第３レンズ群Ｇ３は、両凸正レンズＬ８で構成されている。第４レンズ群Ｇ４は、両凸正レンズＬ９と、両凸正レンズＬ１０と、両凹負レンズＬ１１と、物体側に凸面を向けた正メニスカスレンズＬ１２と、で構成されている。ここで、両凸正レンズＬ１０と、両凹負レンズＬ１１とが、接合されている。第５レンズ群Ｇ５は、両凹負レンズＬ１３で構成されている。第６レンズ群Ｇ６は、両凸正レンズＬ１４と、像側に凸面を向けた負メニスカスレンズＬ１５と、で構成されている。
【０２４５】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は固定（静止）であり、第４レンズ群Ｇ４は物体側に移動し、第５レンズ群Ｇ５は物体側に移動し、第６レンズ群Ｇ６は固定（静止）である。
【０２４６】
非球面は、負メニスカスレンズＬ１の像側面と、両凸正レンズＬ３の両面と、両凹負レンズＬ５の両面と、両凸正レンズＬ８の両面と、両凸正レンズＬ９の両面と、正メニスカスレンズＬ１２の両面と、両凸正レンズＬ１４の両面と、負メニスカスレンズＬ１５の両面との、合計１５面に設けられている。
【０２４７】
無限遠物体から至近距離物体への合焦時、第５レンズ群Ｇ５の両凹負レンズＬ１３が、光軸に沿って像側に移動する。また、ブレ補正時、第５レンズ群Ｇ５の両凹負レンズＬ１３が、光軸と直交する方向へ移動する。
【０２４８】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離、ｆ１、ｆ２…は各レンズ群の焦点距離である。なお、ＦＢ（バックフォーカス）は、レンズ最終面から近軸像面までの距離を空気換算して表したものである。また、広角は広角端、中間は中間焦点距離状態、望遠は望遠端を表している。
【０２４９】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０２５０】
数値実施例１
単位ｍｍ
面データ
面番号       r           d             nd           νd   
物面        ∞           ∞
1        238.265       0.450        2.00100       29.13
2          9.508       2.100
3          ∞          8.200        1.92286       20.88
4          ∞          0.200
5*        10.963       3.081        1.61881       63.85
6*       -11.397      （可変）
7*       -10.792       0.550        1.74320       49.29
8*         3.969       1.363
9*         6.263       1.448        1.63493       23.90
10*        57.202      （可変）
11（絞り）  ∞         （可変）
12*         6.607       2.538        1.49710       81.56
13*        -9.564       3.915
14         45.669       0.400        2.00100       29.13
15          4.556       2.689        1.51633       64.14
16         -9.015      （可変）
17*       -18.403       0.500        1.53071       55.69
18*         6.294      （可変）
19*        14.650       2.800        1.53071       55.69
20*        -9.788       2.313
21          ∞          0.500        1.51633       64.14
22          ∞          0.500
23          ∞          0.500        1.51633       64.14
24          ∞          0.370
像面（撮像面）∞
非球面データ
第５面
k=0.0000
A4=-1.7940e-004,A6=-2.7777e-006,A8=1.8359e-007,A10=-4.4918e-009
第６面
k=0.0000
A4=1.6063e-004,A6=-1.7162e-006,A8=1.3157e-007,A10=-3.4031e-009
第７面
k=0.0000
A4=1.3529e-003,A6=-1.0753e-005,A8=-5.1649e-006,A10=1.9273e-007
第８面
k=0.0000
A4=-4.2259e-003,A6=3.9127e-004,A8=-1.8341e-005,A10=-7.6143e-007
第９面
k=0.0000
A4=-4.1562e-003,A6=2.0520e-004,A8=1.2204e-005,A10=-5.0493e-007
第１０面
k=0.0000
A4=-1.8401e-003,A6=4.9373e-005,A8=5.3126e-006,A10=3.1900e-007
第１２面
k=0.0000
A4=-5.1573e-004,A6=-7.7361e-006,A8=-2.1827e-007,A10=3.3913e-008
第１３面
k=0.0000
A4=6.8976e-004,A6=-1.3838e-005,A8=2.2019e-007,A10=3.1409e-008
第１７面
k=0.0000
A4=-5.0042e-004,A6=-9.8884e-005,A8=2.8668e-005,A10=-1.0006e-006
第１８面
k=0.0000
A4=-1.4882e-004,A6=-1.6491e-004,A8=3.2236e-005,A10=-1.1164e-006
第１９面
k=0.0000
A4=9.7370e-004,A6=-3.8218e-005,A8=2.2176e-006,A10=-6.0017e-008,A12=-8.0552e-015
第２０面
k=0.0000
A4=1.4500e-003,A6=-5.2266e-005,A8=2.6423e-006,A10=-7.2667e-008
ズームデータ
広角           中間           望遠
ｆ              3.830          9.801         18.385
ＦＮＯ．        4.140          4.944          6.229
２ω           90.7           42.0           23.1
ＩＨ            3.28           3.86           3.86
ＦＢ            3.8421         3.8420         3.8420
全長           53.5593        53.5592        53.5592
d6             0.500          4.183          7.147
d10             7.647          3.964          1.000
d11             8.711          3.252          0.900
d16             1.535          3.011          4.212
d18             1.090          5.073          6.223
群焦点距離
f1=11.9329   f2=-7.29442   f3=9.81604   f4=-8.77606   f5=11.5138
【０２５１】
数値実施例２
単位ｍｍ
面データ
面番号       r           d             nd           νd   
物面        ∞           ∞
1        299.953       0.450        2.00100       29.13
2          9.356       2.100
3          ∞          8.200        1.92286       20.88
4          ∞          0.200
5*        11.797       3.038        1.61881       63.85
6*       -11.055      （可変）
7*       -16.484       0.550        1.80610       40.88
8*         4.847       1.897
9*         7.817       1.021        2.10205       16.77
10*        13.465      （可変）
11（絞り）             （可変）
12*         6.252       2.635        1.49710       81.56
13*        -9.244       3.869
14         67.469       0.400        2.00100       29.13
15          4.556       2.616        1.49700       81.54
16        -10.060      （可変）
17*        -7.978       0.500        1.53071       55.69
18*        14.265      （可変）
19*        17.022       2.800        1.53071       55.69
20*        -8.363       2.237
21          ∞          0.500        1.51633       64.14
22          ∞          0.500
23          ∞          0.500        1.51633       64.14
24          ∞          0.370
像面（撮像面）∞
非球面データ
第５面
k=0.0000
A4=-1.1930e-004,A6=-6.4148e-006,A8=3.4300e-007,A10=-7.1474e-009
第６面
k=0.0000
A4=1.8562e-004,A6=-5.0887e-006,A8=2.8382e-007,A10=-5.9523e-009
第７面
k=0.0000
A4=-1.2476e-004,A6=4.1414e-005,A8=-2.6727e-006,A10=2.6974e-008
第８面
k=0.0000
A4=-2.5315e-003,A6=1.1490e-004,A8=2.9216e-006,A10=-6.3305e-007
第９面
k=0.0000
A4=-1.8058e-003,A6=6.5818e-005,A8=4.9540e-006,A10=-5.6048e-009
第１０面
k=0.0000
A4=-1.3992e-003,A6=7.2022e-005,A8=8.5678e-007,A10=3.4596e-007
第１２面
k=0.0000
A4=-6.2311e-004,A6=1.3964e-005,A8=-2.7245e-006,A10=1.4025e-007
第１３面
k=0.0000
A4=7.3328e-004,A6=1.0499e-005,A8=-2.5966e-006,A10=1.5771e-007
第１７面
k=0.0000
A4=9.7391e-003,A6=-1.5415e-003,A8=1.3351e-004,A10=-3.9845e-006
第１８面
k=0.0000
A4=1.0258e-002,A6=-1.5018e-003,A8=1.2555e-004,A10=-3.5394e-006
第１９面
k=0.0000
A4=1.2664e-003,A6=-7.6580e-005,A8=2.8783e-006,A10=-5.5512e-008,A12=2.4683e-012
第２０面
k=0.0000
A4=2.1200e-003,A6=-1.1507e-004,A8=3.7223e-006,A10=-6.4000e-008
ズームデータ
広角           中間           望遠
ｆ              3.831          9.803         18.394
ＦＮＯ ．       4.122          4.893          6.346
２ω           90.4           41.7           22.8
ＩＨ            3.26           3.86           3.86
ＦＢ            3.7667         3.7665         3.7665
全長           53.5595        53.5595        53.5595
d6             0.501          4.366          7.238
d10             7.743          3.878          1.007
d11             8.798          3.478          0.899
d16             1.369          3.204          5.264
d18             1.107          4.592          5.110
群焦点距離
f1=12.4801   f2=-7.46804   f3=9.80107   f4=-9.56653   f5=10.987
【０２５２】
数値実施例３
単位ｍｍ
面データ
面番号       r           d             nd           νd   
物面        ∞           ∞
1        190.460       0.450        2.00100       29.13
2          8.379       1.900
3          ∞          7.900        1.94595       17.98
4          ∞          0.200
5*         9.828       2.886        1.58313       59.38
6*       -10.033      （可変）
7*       -16.164       0.400        1.74320       49.29
8*         5.018       1.542
9*       -17.989       0.483        1.53071       55.69
10*        18.009       0.200
11*         6.277       1.226        1.63493       23.90
12*        80.645      （可変）
13（絞り）  ∞         （可変）
14*         6.088       2.830        1.49710       81.56
15*        -9.916       3.226
16         30.013       0.500        1.90366       31.32
17          3.933       3.400        1.49700       81.54
18        -36.701      （可変）
19*       -17.559       0.400        1.53071       55.69
20*         8.309      （可変）
21*        17.501       3.000        1.53071       55.69
22*        -7.269       3.003
23          ∞          0.300        1.51633       64.14
24          ∞          0.400
25          ∞          0.500        1.51633       64.14
26          ∞          0.530
像面（撮像面）∞
非球面データ
第５面
k=0.0000
A4=-1.2123e-004,A6=-6.8048e-006,A8=1.9457e-007,A10=-4.0043e-009
第６面
k=0.0000
A4=3.6670e-004,A6=-8.1296e-006,A8=2.6975e-007,A10=-4.6144e-009
第７面
k=0.0000
A4=1.3789e-003,A6=1.7579e-007,A8=-6.7173e-006,A10=1.8000e-007
第８面
k=0.0000
A4=-1.7838e-003,A6=2.4973e-004,A8=-1.6627e-005,A10=5.0074e-008
第９面
k=0.0000
A4=-1.6709e-003,A6=1.2859e-005,A8=-9.3211e-007
第１０面
k=0.0000
A4=-6.7041e-004,A6=-6.5615e-005,A8=-2.5436e-006
第１１面
k=0.0000
A4=-2.6991e-003,A6=2.4784e-005,A8=1.0510e-005,A10=-2.4627e-007
第１２面
k=0.0000
A4=-1.1339e-003,A6=1.4242e-005,A8=9.1705e-006,A10=-2.5261e-008
第１４面
k=0.0000
A4=-5.2274e-004,A6=-7.1323e-007,A8=-2.6647e-007,A10=3.2462e-009
第１５面
k=.0000
A4=7.7316e-004,A6=-3.6103e-006,A8=4.5740e-010,A10=5.2043e-009
第１９面
k=0.0000
A4=1.2767e-003,A6=-2.7655e-004,A8=6.7035e-006,A10=0.0000e+000
第２０面
k=0.0000
A4=1.3011e-003,A6=-2.8551e-004,A8=9.5511e-006,A10=0.0000e+000
第２１面
k=0.0000
A4=1.1570e-003,A6=1.2959e-006,A8=-1.5301e-006,A10=4.2199e-008,A12=-7.8798e-010
第２２面
k=0.0000
A4=2.2000e-003,A6=-1.8821e-005,A8=-6.4461e-007
ズームデータ
広角           中間           望遠
ｆ              3.830          9.800         18.380
ＦＮＯ．        4.182          4.707          6.329
２ω           93.3           42.0           22.8
ＩＨ            3.39           3.86           3.86
ＦＢ            4.4610         4.4609         4.4609
全長           54.8558        54.8558        54.8557
d6             0.500          4.540          6.951
d12             7.451          3.411          1.000
d13             8.927          3.911          0.900
d18             1.371          4.282          7.505
d20             1.604          3.709          3.496
群焦点距離
f1=11.4729   f2=-7.06543   f3=10.2314   f4=-10.5708   f5=10.1009
【０２５３】
数値実施例４
単位ｍｍ
面データ
面番号       r           d             nd           νd   
物面        ∞           ∞
1        122.224       0.400        2.00170       20.60
2          8.624       2.026
3          ∞          7.900        1.92286       20.88
4          ∞          0.200
5*        11.550       2.592        1.74320       49.29
6*       -12.367      （可変）
7*        -9.751       0.500        1.80610       40.88
8*         4.956       1.327
9         11.679       2.000        1.84666       23.78
10         -8.453       0.705
11         -5.529       0.400        1.91082       35.25
12        -16.191      （可変）
13（絞り）  ∞         （可変）
14*         6.075       2.979        1.49710       81.56
15*        -8.479       3.491
16        236.566       0.400        2.00100       29.13
17          4.428       2.527        1.49710       81.56
18*       -11.299      （可変）
19*       -13.668       0.600        1.53071       55.69
20*         9.455      （可変）
21*        12.474       3.409        1.53071       55.69
22*        -7.809       1.884
23          ∞          0.500        1.51633       64.14
24          ∞          0.500
25          ∞          0.500        1.51633       64.14
26          ∞          0.370
像面（撮像面）∞
非球面データ
第５面
k=0.0000
A4=-1.5228e-004,A6=-8.8357e-007,A8=7.4493e-008,A10=-4.5899e-009,A12=-1.0472e-020
第６面
k=0.0000
A4=1.6162e-004,A6=-1.0807e-006,A8=4.9184e-008,A10=-3.4588e-009,A12=1.1864e-020
第７面
k=0.0000
A4=2.4991e-004,A6=3.1939e-005,A8=-2.1248e-006,A10=1.2183e-008,A12=-4.7889e-021
第８面
k=0.5329
A4=-3.0224e-003,A6=-4.4638e-006,A8=-2.8568e-006,A10=-3.7233e-007,
A12=-3.8813e-021
第１４面
k=0.0000
A4=-5.7955e-004,A6=-1.3733e-005,A8=6.9906e-007,A10=-6.3412e-008
第１５面
k=0.0000
A4=9.9957e-004,A6=-1.6767e-005,A8=5.5567e-007,A10=-4.7156e-008
第１８面
k=0.0000
A4=-5.1917e-004,A6=2.7281e-005,A8=-6.3840e-007,A10=-2.3625e-008
第１９面
k=0.0000
A4=-5.9562e-004,A6=6.4084e-004,A8=-8.2563e-005,A10=2.3558e-006,A12=-1.3765e-022
第２０面
k=0.0000
A4=-4.9051e-004,A6=6.6459e-004,A8=-8.3212e-005,A10=2.7646e-006,A12=-7.1137e-023
第２１面
k=0.0000
A4=1.3635e-003,A6=-7.8212e-005,A8=1.5954e-006,A10=-1.3449e-008,A12=4.4192e-012
第２２面
k=0.0000
A4=3.7006e-003,A6=-2.1949e-004,A8=5.5607e-006,A10=-5.1000e-008
ズームデータ
広角           中間           望遠
ｆ              3.830         10.000         18.385
ＦＮＯ．        3.978          4.500          6.528
２ω           90.5           40.6           22.8
ＩＨ            3.30           3.86           3.86
ＦＢ            3.4138         3.4138         3.4135
全長           53.6597        53.6596        53.6593
d6             0.500          4.125          5.563
d12             5.963          2.338          0.900
d13             9.179          4.665          1.000
d18             2.000          4.267          7.370
d20             1.149          3.396          3.958
群焦点距離
f1=9.86365   f2=-6.22941   f3=9.90337   f4=-10.4369   f5=9.60956
【０２５４】
数値実施例５
単位ｍｍ
面データ
面番号       r           d             nd           νd   
物面        ∞           ∞
1         54.422       0.500        2.00069       25.46
2          8.593       2.000
3          ∞          7.600        2.00100       29.13
4          ∞          0.100
5*        19.691       2.020        1.61881       63.85
6        -20.769       0.100
7         25.631       1.648        1.72903       54.04
8*       -36.266      （可変）
9*       -16.964       0.500        1.88202       37.22
10*         5.451       0.822
11        -15.802       0.400        1.91082       35.25
12          8.428       1.199        1.94595       17.98
13        -27.327      （可変）
14*        10.662       1.120        1.59201       67.02
15*       -32.557       0.200
16（絞り）  ∞         （可変）
17*         7.135       1.970        1.72903       54.04
18        -77.858       0.400        1.84666       23.78
19         12.710       0.500
20         10.154       1.500        1.49700       81.61
21*      -163.820      （可変）
22        -12.802       0.500        2.00330       28.27
23         11.284       0.906
24*        17.205       1.705        1.52559       56.46
25        -13.447       2.300
26         13.106       2.370        1.51633       64.14
27*       -16.204       1.400
28          ∞          0.300        1.51633       64.14
29          ∞          0.500
30          ∞          0.500        1.51633       64.14
31          ∞          0.340
像面（撮像面）∞
非球面データ
第５面
k=0.0000
A4=-1.0414e-004,A6=4.2873e-008,A8=4.3869e-008,A10=-3.3516e-010
第８面
k=0.0000
A4=-9.0184e-005,A6=8.8348e-007,A8=4.8897e-009,A10=2.3327e-010
第９面
k=0.0000
A4=2.8625e-004,A6=-2.0960e-005,A8=2.1030e-006,A10=-4.2917e-008
第１０面
k=0.0000
A4=-7.8789e-004,A6=-5.8896e-005,A8=7.2081e-006,A10=-2.9409e-007
第１４面
k=0.0000
A4=-3.3808e-005,A6=-8.6158e-005,A8=1.6278e-005,A10=-1.0033e-006
第１５面
k=0.0000
A4=1.9302e-004,A6=-8.2796e-005,A8=1.5729e-005,A10=-1.0027e-006
第１７面
k=0.0000
A4=1.6857e-004,A6=3.6653e-006,A8=3.6076e-007,A10=2.7391e-010
第２１面
k=0.0000
A4=1.3951e-003,A6=3.0788e-005,A8=-1.2324e-007,A10=1.4999e-007
第２４面
k=0.0000
A4=-2.9042e-004,A6=-7.2332e-006,A8=-8.0015e-007,A10=3.8664e-008
第２７面
k=0.0000
A4=4.1414e-004,A6=-1.6985e-005,A8=-3.7638e-007,A10=9.8110e-009
ズームデータ
広角           中間           望遠
ｆ              4.004          8.776         19.235
ＦＮＯ．        3.802          4.168          5.801
２ω           88.1           46.9           21.8
ＩＨ            3.30           3.86           3.86
ＦＢ            2.7675         2.7670         2.7656
全長           54.5274        54.5270        54.5257
d8             0.335          5.176          7.625
d13             7.590          2.750          0.300
d16            10.487          6.874          2.000
d21             2.986          6.599         11.473
群焦点距離
f1=12.7093   f2=-4.34336   f3=13.6989   f4=11.5141   f5=36.8947
【０２５５】
数値実施例６
単位ｍｍ
面データ
面番号       r           d             nd           νd   
物面        ∞           ∞
1        117.473       0.450        2.00069       25.46
2          9.320       2.200
3          ∞          8.200        1.92286       20.88
4          ∞          0.200
5*        10.695       2.970        1.61881       63.85
6*       -11.446      （可変）
7*       -10.644       0.550        1.75501       51.16
8*         3.633       0.922
9*         6.947       1.693        1.63493       23.90
10*       -47.491      （可変）
11（絞り）  ∞         （可変）
12*         5.812       2.634        1.49710       81.56
13*       -10.800       2.129
14         76.902       0.400        1.88300       40.76
15          4.556       2.914        1.49700       81.61
16         -9.015      （可変）
17*       -23.315       0.500        1.83441       37.28
18*         9.144      （可変）
19*        30.760       2.997        1.53071       55.69
20*        -6.197       0.400
21        -18.000       0.700        1.94595       17.98
22        -44.062       1.378
23          ∞          0.500        1.51633       64.14
24          ∞          0.500
25          ∞          0.500        1.51633       64.14
26          ∞          0.370
像面（撮像面）∞
非球面データ
第５面
k=0.0000
A4=-1.7949e-004,A6=-2.3810e-006,A8=9.4545e-008,A10=-1.7142e-009
第６面
k=0.0000
A4=1.7739e-004,A6=-2.1285e-006,A8=9.6717e-008,A10=-1.5927e-009
第７面
k=0.0000
A4=-3.2747e-004,A6=2.1026e-004,A8=-1.8754e-005,A10=4.9287e-007
第８面
k=0.0000
A4=-6.2319e-003,A6=2.2049e-004,A8=2.3247e-005,A10=-3.2134e-006
第９面
k= 0.0000
A4=-3.6001e-003,A6=-1.3364e-004,A8=3.8108e-005,A10=-9.4058e-007
第１０面
k=0.0000
A4=-1.5782e-003,A6=-1.0797e-004,A8=6.8834e-006,A10=4.4505e-008
第１２面
k=0.0000
A4=-5.8267e-004,A6=-3.6553e-006,A8=-1.1809e-006,A10=5.0980e-008
第１３面
k=0.0000
A4=7.8329e-004,A6=-8.7977e-006,A8=-7.6279e-007,A10=5.9016e-008
第１７面
k=0.0000
A4=1.3864e-003,A6=-5.1010e-004,A8=4.4734e-005
第１８面
k=0.0000
A4=2.1483e-003,A6=-5.2642e-004,A8=4.6063e-005
第１９面
k=0.0000
A4=9.5064e-004,A6=-2.0628e-005,A8=2.5883e-006,A10=-8.7695e-008
第２０面
k=0.0000
A4=2.3070e-003,A6=-8.7741e-005,A8=6.6826e-006,A10=-1.7500e-007
ズームデータ
広角           中間           望遠
ｆ              3.830         10.060         25.739
ＦＮＯ．        4.116          4.964          6.253
２ω           90.5           40.8           16.6
ＩＨ            3.28           3.86           3.86
ＦＢ            2.9072         2.9068         2.9042
全長           55.1576        55.1572        55.1546
d6             0.500          3.918          8.700
d10             8.900          5.482          0.700
d11             8.650          3.037          0.700
d16             3.284          4.370          4.547
d18             1.058          5.584          7.745
群焦点距離
f1=11.5037   f2=-6.82253   f3=9.44836   f4=-7.81657   f5=14.1217
【０２５６】
数値実施例７
単位ｍｍ
面データ
面番号       r           d             nd           νd   
物面        ∞           ∞
1         51.974       0.500        2.00069       25.46
2          8.715       1.889
3          ∞          7.600        2.00100       29.13
4          ∞          0.100
5*        18.943       2.021        1.61881       63.85
6        -24.261       0.100
7         24.076       1.741        1.72903       54.04
8*       -30.540      （可変）
9*       -13.970       0.500        1.88202       37.22
10*         6.000       0.766
11        -12.404       0.400        1.91082       35.25
12          9.891       1.176        1.94595       17.98
13        -20.677      （可変）
14*        11.671       1.133        1.59201       67.02
15*       -26.983       0.200
16（絞り）  ∞         （可変）
17*         7.202       1.947        1.72903       54.04
18       -149.117       0.400        1.84666       23.78
19         12.340       0.500
20         10.346       1.500        1.49700       81.61
21*      -160.930      （可変）
22        -11.662       0.500        2.00330       28.27
23         13.896       1.401
24*        45.174       1.779        1.52559       56.46
25         -9.670       2.300
26         14.908       2.278        1.51633       64.14
27*       -17.442       1.400
28          ∞          0.300        1.51633       64.14
29          ∞          0.500
30          ∞          0.500        1.51633       64.14
31          ∞          0.340
像面（撮像面）∞
非球面データ
第５面
k=0.0000
A4=-6.0732e-005,A6=1.1830e-007,A8=4.6125e-008,A10=-3.2493e-010
第８面
k=0.0000
A4=-3.8247e-005,A6=6.5393e-007,A8=2.0848e-008,A10=4.6391e-011
第９面
k=0.0000
A4=2.1874e-004,A6=-1.6383e-005,A8=1.2370e-006,A10=4.0204e-008
第１０面
k=0.0000
A4=-7.0155e-004,A6=-3.9893e-005,A8=2.4528e-006,A10=1.7584e-007
第１４面
k=0.0000
A4=7.2264e-005,A6=-7.7639e-005,A8=1.3825e-005,A10=-8.1474e-007
第１５面
k=0.0000
A4=2.6138e-004,A6=-7.4701e-005,A8=1.3628e-005,A10=-8.2796e-007
第１7面
k=0.0000
A4=1.9170e-004,A6=4.1483e-006,A8=3.0040e-007,A10=4.3650e-009
第２１面
k=0.0000
A4=1.4060e-003,A6=3.5662e-005,A8=-9.3980e-007,A10=2.0156e-007
第２４面
k=0.0000
A4=-1.3448e-004,A6=-3.1280e-005,A8=1.9014e-006,A10=-6.3030e-008
第２７面
k=0.0000
A4=3.9939e-004,A6=-2.6108e-005,A8=1.8907e-007
ズームデータ
広角           中間           望遠
ｆ              4.368          9.574         20.984
ＦＮＯ．        3.866          4.294          5.800
２ω           86.1           43.2           20.0
ＩＨ            3.44           3.86           3.86
ＦＢ            2.7675         2.7671         2.7660
全長           54.7275        54.7272        54.7260
d8             0.359          4.969          7.522
d13             7.463          2.853          0.300
d16            10.000          6.507          2.000
d21             3.407          6.900         11.407
群焦点距離
f1=12.21   f2=-4.35086   f3=13.9138   f4=11.8901   f5=30.1073
【０２５７】
数値実施例８
単位ｍｍ
面データ
面番号       r           d             nd           νd   
物面        ∞           ∞
1         44.255        0.500        2.01960       21.45
2*        11.124        2.100
3          ∞           8.700        2.00100       29.13
4          ∞           0.100
5*        68.309        1.887        1.49700       81.61
6*       -15.912        0.100
7         20.738        2.011        1.66672       48.32
8        -17.957       （可変）
9*       -15.952        0.500        1.80610       40.92
10*         5.021        1.119
11        -14.083        0.500        1.75700       47.82
12          9.445        1.304        1.92286       18.90
13        -50.130        （可変）
14（絞り）  ∞           0.600
15*        10.821        1.100        1.69350       53.21
16*        58.207        （可変）
17*         5.057        2.692        1.49700       81.61
18*       -13.956        0.596
19         15.180        1.621        1.49700       81.61
20         -9.196        0.500        2.00100       29.13
21          9.874        0.500
22*         7.087        0.897        1.80610       40.92
23*         7.687       （可変）
24        -56.204        0.600        1.85400       40.39
25         11.919       （可変）
26*         8.501        3.000        1.52542       55.78
27*        -8.341        0.501
28*       -17.648        1.200        1.52542       55.78
29*       -46.515        0.503
30          ∞           0.300        1.51633       64.14
31          ∞           0.500
32          ∞           0.500        1.51633       64.14
33          ∞           0.340
像面（撮像面）∞
非球面データ
第２面
k=-5.6167
A4= 6.1272e-004,A6=-4.3248e-006,A8=6.4816e-008,A10=4.8246e-010,A12=2.3001e-012
第５面
k=0.0000
A4=9.5417e-006,A6=1.9207e-006,A8=-2.2134e-007,A10=6.4215e-009
第６面
k=0.0000
A4=9.2147e-005,A6=1.4110e-006,A8=-1.8628e-007,A10=5.4837e-009
第９面
k=0.0000
A4=4.8001e-004,A6=3.4290e-005,A8=-4.4099e-006,A10=9.2819e-008
第１０面
k=0.0000
A4=-8.6735e-004,A6=5.0386e-005,A8=-5.5413e-006,A10=-4.4436e-007
第１５面
k=-3.2013
A4=-1.3000e-004,A6=-1.6000e-005,A8=-5.0023e-006,A10=1.2000e-007
第１６面
k=0.0000
A4=-2.7078e-004,A6=-2.3671e-005,A8=-3.2807e-006,A10=1.0596e-008
第１７面
k=-0.7336
A4=2.6724e-004,A6=-6.1446e-006,A8=1.7917e-006,A10=-4.1315e-008
第１８面
k=0.0000
A4=-2.0113e-004,A6=5.4985e-005,A8=-1.0602e-006,A10=-2.8781e-008
第２２面
k=0.0000
A4=-3.0000e-003,A6=5.2642e-004,A8=-9.9538e-006,A10=-1.7124e-006
第２３面
k=0.0000
A4=-9.4604e-004,A6=6.5300e-004,A8=-1.4217e-006,A10=-2.2236e-006
第２６面
k=0.0000
A4=-1.1500e-003,A6=8.5000e-005,A8=-2.2194e-006,A10=4.9178e-009,A12=-1.8557e-010
第２７面
k=0.0000
A4=7.8091e-004,A6=7.0706e-005,A8=-2.5061e-006
第２８面
k=0.0000
A4=1.9738e-003,A6=-1.0641e-005,A8=-3.0890e-007
第２９面
k=0.0000
A4=5.0000e-004,A6=1.8483e-005,A8=2.1215e-006,A10=-2.1774e-007,A12=4.2000e-009
ズームデータ
広角           中間           望遠
ｆ              3.900         10.132         26.433
ＦＮＯ．        3.978          4.804          6.528
２ω           89.6           40.7           16.0  
ＩＨ            3.25           3.84           3.84
ＦＢ            1.8705         1.8778         1.8706
全長           55.2273        55.2271        55.2272
d8             0.400          4.155          7.213
d13             7.713          3.951          0.900
d16             9.397          4.443          0.400
d23             2.033          5.063          8.787
d25             1.183          3.108          3.426
群焦点距離
f1=10.7767   f2=-4.35701   f3=18.9854   f4=13.3013   f5=-11.4681   f6=9.88428
【０２５８】
以上の実施例１〜８の収差図を、それぞれ図９〜図１６に示す。いずれも、無限遠物体合焦時の収差図である。また、各図中、”ＦＩＹ”は最大像高を示す。
【０２５９】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０２６０】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０２６１】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０２６２】
次に、各実施例における条件式（１）〜（２５）の値を掲げる。
実施例１    実施例２    実施例３    実施例４
(1) |f1Po|×f1Pi/IHt2               6.687        6.821       5.742       5.689
(2) tanωw-(Lpri/Ｌw)               0.852        0.852       0.914       0.857
(3) DT/(f1Po/IHt)                   7.425        7.442       9.750       8.757
(4) |(f1Po/IHt)×(f1P/IHt)/tanωw|  8.306        8.696       6.903       6.609
(5) |(f1Po/fw)×(f1P/fw)|           8.057        8.209       6.857       6.239
(6) |(f1Po/IHt)/(tanωw)2|          2.595        2.565       2.102       2.465
(7) (Lpri/IHt)×(fw/IHt)/tanωw     2.207        2.267       2.077       2.185
(8) |f1/IHt|                        3.176        3.365       3.096       2.661
(8) |f2/IHt|                        1.941        2.014       1.906       1.680
(8) |f3/IHt|                        2.613        2.643       2.761       2.671
(8) |f4/IHt|                        2.336        2.580       2.852       2.815
(8) |f5/IHt|                        3.064        2.963       2.726       2.592
(9) |f1Po/IHt|                      2.636        2.603       2.366       2.503
(10)|f1Po/fw|                       2.586        2.520       2.289       2.423
(11)ASP1NP                         -0.199       -0.104      -0.163         -
(12)νd2N                          55.690       55.690      55.690      55.690
(13)Lw/|f1Po|                       5.310        5.447       6.139       5.655
(14)L1Nair/IHt                      0.363        0.511       0.416       0.358
(15)|f1P/f1Po|                      1.205        1.293       1.309       1.063
(16)f1N/f1Po                        0.737        0.774       0.806       0.671
(17)DT                            -19.571      -19.376     -23.064     -21.921
(18)fw/r1F                          0.016        0.013       0.020       0.031
(19)nd1PN                           2.001        2.001       2.001       2.002
(20)νdpri                         20.880       20.880      17.980      20.880
(21)ndpri                           1.923        1.923       1.946       1.923
(22)tanωw/(Lpri/Lw)                6.464        6.461       7.227       6.695
(23)(τ420)A                        0.779        0.779       0.570       0.786
(24)(τ400)A                        0.448        0.448       0.128       0.462
(25)f1Pi×fw/IHt2                   2.586        2.707       2.508       2.348
実施例５    実施例６    実施例７    実施例８
(1) |f1Po|×f1Pi/IHt2               7.135        6.771       7.205        -
(2) tanωw-(Lpri/Ｌw)               0.821        0.858       0.788       0.831
(3) DT/(f1Po/IHt)                   7.225        7.376       7.031       5.645
(4) |(f1Po/IHt)×(f1P/IHt)/tanωw|  9.853        8.207      10.090      11.535
(5) |(f1Po/fw)×(f1P/fw)|           8.128        7.950       6.735      10.404
(6) |(f1Po/IHt)/(tanωw)2|          2.979        2.658       3.287        -
(7) (Lpri/IHt)×(fw/IHt)/tanωw     2.301        2.210       2.607       2.473
(8) |f1/IHt|                        3.431        3.064       3.300       2.899
(8) |f2/IHt|                        1.173        1.817       1.176       1.172
(8) |f3/IHt|                        3.698        2.516       3.760        -
(8) |f4/IHt|                        3.108        2.082       3.214       3.579
(8) |f5/IHt|                         -           3.761        -          3.085
(8) |f6/IHt|                                                             2.659
(9) |f1Po/IHt|                      2.768        2.700       2.844        -
(10)|f1Po/fw|                       2.561        2.647       2.409        -
(11)ASP1NP                           -          -0.393      -0.393        -
(12)νd2N                            -          37.280        -         40.390
(13)Lw/|f1Po|                       5.182        5.408       5.068        -
(14)L1Nair/IHt                      0.222        0.246        -           -
(15)|f1P/f1Po|                      1.240        1.135       1.160        -
(16)f1N/f1Po                        0.424        0.673       0.413        -
(17)DT                            -19.999      -19.912     -19.999     -22.304
(18)fw/r1F                          0.074        0.033       0.084        -
(19)nd1PN                           2.001        2.001       2.001       2.020
(20)νdpri                         29.130       20.880      29.130      29.130
(21)ndpri                           2.001        1.923       2.001       2.001
(22)tanωw/(Lpri/Lw)                6.739        6.737       6.529       6.138
(23)(τ420)A                        0.900        0.779       0.900       0.886
(24)(τ400)A                         -           0.448        -           -
(25)f1Pi×fw/IHt2                   2.786        2.558       2.990       2.728
【０２６３】
各実施例におけるプリズムの材料名（ＨＯＹＡ株式会社）を掲げる。また、図２３に、各材料の内部透過率を示す。ここで、内部透過率は、厚さ１０ｍｍにおける透過率である。また、Ｔは内部透過率（％）、λは波長（ｎｍ）である。
実施例１    実施例２    実施例３    実施例４
材料名    E-FDS1      E-FDS1      FDS18       E-FDS1
実施例５    実施例６    実施例７    実施例８
材料名    TAFD55      E-FDS1      TAFD55      TAFD55
【０２６４】
（歪曲収差の補正）
ところで、本発明のズームレンズを用いたときに、像の歪曲は電気的にデジタル補正する。以下に、像の歪曲をデジタル補正するための基本的概念について説明する。
【０２６５】
例えば、図１８に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させることで歪曲を補正する。より具体的には、任意の半径ｒ（ω）が半径ｒ’（ω）となるように、各円周上の点を同心円状に移動させる。
【０２６６】
例えば、図１８において、半径Ｒの円の内側に位置する任意の半径ｒ１（ω）の円周上の点Ｐ１は、円の中心に向けて補正すべき半径ｒ１’（ω）の円周上の点Ｐ２に移動させる。また、半径Ｒの円の外側に位置する任意の半径ｒ２（ω）の円周上の点Ｑ１は、円の中心から離れる方向に向けて補正すべき半径ｒ２’（ω）の円周上の点Ｑ２に移動させる。
【０２６７】
ここで、ｒ’（ω）は次のように表わすことができる。
ｒ’（ω）＝α・ｆ・ｔａｎω
ここで、
ωは被写体半画角、
ｆは結像光学系（本発明では、ズームレンズ）の焦点距離、
αは０以上１以下、
である。
【０２６８】
ここで、半径Ｒの円上（像高）に対応する理想像高をＹとすると、
α＝Ｒ／Ｙ＝Ｒ／（ｆ・ｔａｎω）、
となる。
【０２６９】
光学系は、理想的には、光軸に対して回転対称であるため、歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させることで歪曲を補正することができれば、データ量や演算量の点で有利と考えられる。
【０２７０】
ところが、光学像は、電子撮像素子で撮像された時点で（サンプリングのため）連続量ではなくなる。したがって、厳密には光学像上に描かれる半径Ｒの円も、電子撮像素子上の画素が放射状に配列されていない限り正確な円ではなくなる。
【０２７１】
つまり、離散的座標点毎に表わされる画像データの形状補正においては、倍率を固定できる円は存在しない。そこで、画素（Ｘｉ，Ｙｊ）毎に、移動先の座標（Ｘｉ’，Ｙｊ’）を決める方法を用いるのがよい。なお、座標（Ｘｉ’，Ｙｊ’）に（Ｘｉ，Ｙｊ）の２点以上が移動してきた場合には、各画素が有する値の平均値をとる。また、移動してくる点がない場合には、周囲のいくつかの画素の座標（Ｘｉ’，Ｙｊ’）の値を用いて補間すればよい。
【０２７２】
このような方法は、特にズームレンズを有する電子撮像装置において光学系や電子撮像素子の製造誤差等のために光軸に対して像の歪みが著しく、光学像上に描かれる半径Ｒの円が非対称になった場合の補正に有効である。また、このような方法は、撮像素子あるいは各種出力装置において信号を画像に再現する際に幾何学的歪み等が発生する場合等の補正に有効である。
【０２７３】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０２７４】
なお、歪曲補正後の画像が短辺方向の両端において光量が極端に不足することのないようにするには、半径Ｒが、次の条件式を満足するのがよい。
【０２７５】
０≦Ｒ≦０．６Ｌｓ
ここで、Ｌｓは有効撮像面の短辺の長さである。
【０２７６】
好ましくは、半径Ｒは、次の条件式を満足するのがよい。
０．３Ｌｓ≦Ｒ≦０．６Ｌｓ
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、光学系を広画角化しても小型化にするための効果は確保できる。
【０２７７】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０２７８】
ここで、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０２７９】
そして、分割されたゾーン内の望遠端近傍で略、
ｒ’（ω）＝α・ｆ・ｔａｎω
を満足する補正結果が得られる場合の補正量を算出し、この補正量に対して焦点距離毎に係数を一律に掛けて最終的な補正量にしてもよい。
【０２８０】
ところで、無限遠物体を結像させて得られた像に歪曲がない場合は、
ｆ＝ｙ／ｔａｎω
が成立する。
ここで、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２８１】
結像光学系に樽型の歪曲収差がある場合は、
ｆ＞ｙ／ｔａｎω
となる。つまり、結像光学系の焦点距離ｆと、像高ｙとを一定とすると、ωの値は大きくなる。
【０２８２】
（光路折り曲げ式デジタルカメラ）
さて、以上のような本発明のズームレンズは、このズームレンズで形成した像をＣＣＤ等の電子撮像素子に受光させて撮影を行う電子撮影装置、とりわけデジタルカメラやビデオカメラ等に用いることができる。以下に、その実施形態を例示する。
【０２８３】
図１９〜図２１は、本発明によるズームレンズを、デジタルカメラの撮影光学系１４１に組み込んだ構成の概念図を示す。図１９はデジタルカメラ１４０の外観を示す前方斜視図、図２０は同後方斜視図、図２１はデジタルカメラ１４０の構成を示す断面図である。
【０２８４】
デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。
【０２８５】
このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０２８６】
さらに、ファインダー用光路１４４上には、ファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０２８７】
このように構成されたデジタルカメラ１４０は、撮影光学系１４１が高変倍比で、広角端における画角が広いズームレンズであるので、高性能で、奥行き方向が極めて薄い安価なデジタルカメラが実現できる。
【０２８８】
なお、図２１の例では、カバー部材１５０として平行平面板を配置しているが、省いてもよい。
【０２８９】
（内部回路構成）
図２２は、デジタルカメラ１４０の主要部の内部回路の構成ブロック図である。なお、以下の説明では、前述した処理手段は、例えばＣＤＳ／ＡＤＣ部１２４、一時記憶メモリ１１７、画像処理部１１８等からなり、記憶手段は、記憶媒体部１１９で構成される。
【０２９０】
図２２に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２９１】
上記の一時記憶メモリ１１７、画像処理部１１８、記憶媒体部１１９、表示部１２０、及び設定情報記憶メモリ部１２１は、バス１２２を介して相互にデータの入力、出力が可能とされている。また、撮像駆動回路１１６には、ＣＣＤ１４９とＣＤＳ／ＡＤＣ部１２４が接続されている。
【０２９２】
操作部１１２は、各種の入力ボタンやスイッチを備え、これらを介して外部（カメラ使用者）から入力されるイベント情報を制御部１１３に通知する。制御部１１３は、例えばＣＰＵなどからなる中央演算処理装置であって、不図示のプログラムメモリを内蔵し、プログラムメモリに格納されているプログラムにしたがって、デジタルカメラ１４０全体を制御する。
【０２９３】
ＣＣＤ１４９は、撮像駆動回路１１６により駆動制御され、撮像光学系１４１を介して形成された物体像の画素ごとの光量を電気信号に変換し、ＣＤＳ／ＡＤＣ部１２４に出力する撮像素子である。
【０２９４】
ＣＤＳ／ＡＤＣ部１２４は、ＣＣＤ１４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１１７に出力する回路である。
【０２９５】
一時記憶メモリ１１７は、例えばＳＤＲＡＭ等からなるバッファであり、ＣＤＳ／ＡＤＣ部１２４から出力されるＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２９６】
記録媒体部１１９は、例えばフラッシュメモリ等からなるカード型又はスティック型の記録媒体を着脱自在に装着して、これらのフラッシュメモリに、一時記憶メモリ１１７から転送されるＲＡＷデータや画像処理部１１８で画像処理された画像データを記録して保持する。
【０２９７】
表示部１２０は、液晶表示モニター１４７などにて構成され、撮影したＲＡＷデータ、画像データや操作メニューなどを表示する。設定情報記憶メモリ部１２１には、予め各種の画質パラメータが格納されているＲＯＭ部と、操作部１１２の入力操作によってＲＯＭ部から読み出された画質パラメータを記憶するＲＡＭ部が備えられている。設定情報記憶メモリ部１２１は、それらのメモリへの入出力を制御する回路である。
【産業上の利用可能性】
【０２９８】
以上のように、本発明にかかる撮像装置は、広画角化と高変倍比化が両立され、且つ、諸収差が良好に補正されたズームレンズを備えた撮像装置の光学系に適している。
本発明とは別の発明の例を以下に示す。
（付記項１）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（１）を満足することを特徴とする撮像装置。
４．５≦｜ｆ1Po｜×ｆ1Pi／ＩＨt2≦７．５      （１）
ただし、
ｆ1Poは、前記第１正レンズ群物体側系の焦点距離、
ｆ1Piは、前記第１正レンズ群像側系の焦点距離、
ＩＨtは、望遠端において無限遠物体に合焦した時の最大像高、
である。
（付記項２）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（２）、（３）を満足することを特徴とする撮像装置。
０．７≦ｔａｎωw−（Ｌpri／Ｌw）≦１．３      （２）
３．５≦ＤＴ／（ｆ1Po／ＩＨt）≦１６      （３）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ｆ1Poは、前記第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
である。
（付記項３）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（４）、（５−１）を満足することを特徴とする撮像装置。
４．２≦｜（ｆ1Po／ＩＨt）×（ｆ1P／ＩＨt）／ｔａｎωw｜≦１１．６      （４）
５．６≦｜（ｆ1Po／ｆw）×（ｆ1P／ｆw）｜≦１１．０      （５−１）
ただし、
ｆ1Poは、前記第１正レンズ群物体側系の焦点距離、
ｆ1Pは、前記第１正レンズ群の焦点距離、
ＩＨtは、望遠端において無限遠物体に合焦した時の最大像高、
ωwは、広角端において無限遠物体に合焦した時の最大半画角、
ｆwは、広角端において無限遠物体に合焦した時の前記ズームレンズ全系の焦点距離、
である。
（付記項４）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（６）を満足することを特徴とする撮像装置。
１．０≦｜（ｆ1Po／ＩＨt）／（ｔａｎωw）2｜≦３．７      （６）
ただし、
ｆ1Poは、前記第１正レンズ群物体側系の焦点距離、
ＩＨtは、望遠端において無限遠物体に合焦した時の最大像高、
ωwは、広角端において無限遠物体に合焦した時の最大半画角、
である。
（付記項５）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（５）、（７）を満足することを特徴とする撮像装置。
５．６≦｜（ｆ1Po／ｆw）×（ｆ1P／ｆw）｜≦１１．５      （５）
１．５≦（Ｌpri／ＩＨt）×（ｆw／ＩＨt）／ｔａｎωw≦２．８      （７）
ただし、
ｆ1Poは、前記第１正レンズ群物体側系の焦点距離、
ｆ1Pは、前記第１正レンズ群の焦点距離、
ｆwは、広角端において無限遠物体に合焦した時の前記ズームレンズ全系の焦点距離、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
ＩＨtは、望遠端において無限遠物体に合焦した時の最大像高、
ωwは、広角端において無限遠物体に合焦した時の最大半画角、
である。
（付記項６）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
以下の条件式（５−１）、（８）、（９）を満足することを特徴とする撮像装置。
５．６≦｜（ｆ1Po／ｆw）×（ｆ1P／ｆw）｜≦１１．０      （５−１）
０．７≦｜ｆn／ＩＨt｜≦４．０      （８）
１．２≦｜ｆ1Po／ＩＨt｜≦３．６      （９）
ただし、
ｆ1Poは、前記第１正レンズ群物体側系の焦点距離、
ｆ1Pは、前記第１正レンズ群の焦点距離、
ｆwは、広角端において無限遠物体に合焦した時の前記ズームレンズ全系の焦点距離、
ｆnは、前記ズームレンズに含まれる各々のレンズ群の焦点距離であって、前記各々のレンズ群は、変倍時の移動または静止によって特定され、
ＩＨtは、望遠端において無限遠物体に合焦した時の最大像高、
である。
（付記項７）
ズームレンズと、該ズームレンズの像面に配置された撮像素子を備えた撮像装置であって、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
前記反射部材はプリズムであり、
以下の条件式（２）、（１０）を満足することを特徴とする撮像装置。
０．７≦ｔａｎωw−（Ｌpri／Ｌw）≦１．３      （２）
１．２≦｜ｆ1Po／ｆw｜≦２．９      （１０）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ｆ1Poは、前記第１正レンズ群物体側系の焦点距離、
ｆwは、広角端において無限遠物体に合焦した時の前記ズームレンズ全系の焦点距離、
である。
（付記項８）
ズームレンズと、該ズームレンズの像面に配置された撮像素子を備えた撮像装置であっ
て、
前記ズームレンズは、正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
広角端から望遠端への変倍時に、
前記第１正レンズ群は静止し、
前記第１負レンズ群は像側に移動し、
前記第２正レンズ群は物体側に移動し、
前記第１負レンズ群の望遠端における位置は、広角端における位置よりも像側であり、
前記第２正レンズ群の望遠端における位置は、広角端における位置よりも物体側であり、
合焦時、前記第１正レンズ群は静止し、
前記第１正レンズ群は、光路を折り曲げる反射面を有する反射部材と、第１正レンズ群物体側系と、第１正レンズ群像側系と、を備え、
前記第１正レンズ群物体側系は、前記反射面よりも物体側に位置すると共に、負屈折力を有し、
前記第１正レンズ群像側系は、前記反射面よりも像側に位置すると共に、正屈折力を有し、
ωw≧４２度であり、
以下の条件式（３）を満足することを特徴とする撮像装置。
３．５≦ＤＴ／（ｆ1Po／ＩＨt）≦１６      （３）
ただし、
ωwは、広角端において無限遠物体に合焦した時の最大半画角、
ｆ1Poは、前記第１正レンズ群物体側系の焦点距離、
ＩＨtは、望遠端において無限遠物体に合焦した時の最大像高、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
である。
（付記項９）
前記第２正レンズ群よりも像側に、負屈折力の第２負レンズ群が配置され、
前記第２負レンズ群よりも像側に、正屈折力の第３正レンズ群が配置され、
前記第１負レンズ群と前記第２正レンズ群は、望遠端において、それぞれ前記絞りの近くに位置し、
変倍時、隣り合う前記レンズ群の間隔はいずれも変化することを特徴とする付記項１から８の何れか１項に記載の撮像装置。
（付記項１０）
合焦時、前記第２負レンズ群と前記第３正レンズ群に含まれるいずれかのレンズが、光軸に沿う方向に移動することを特徴とする付記項９に記載の撮像装置。
（付記項１１）
ブレ補正時、前記第２負レンズ群と前記第３正レンズ群に含まれるいずれかのレンズが、像のブレを打ち消す方向に偏心移動することを特徴とする付記項９に記載の撮像装置。
（付記項１２）
前記第２負レンズ群は一枚の負レンズからなり、
以下の条件式（１２）を満足することを特徴とする付記項９に記載の撮像装置。
３５≦νｄ2N≦９６      （１２）
ただし、
νｄ2Nは、前記第２負レンズ群の前記負レンズのｄ線基準のアッベ数、
である。
（付記項１３）
前記第１負レンズ群と前記第２正レンズ群は、前記第１負レンズ群と前記第２正レンズ群との間にレンズを挟まずに配置されていることを特徴とする付記項９に記載の撮像装置。
（付記項１４）
前記第１負レンズ群と前記第２正レンズ群のほかに、変倍時に移動するレンズ群を含むことを特徴とする付記項９に記載の撮像装置。
（付記項１５）
前記第２正レンズ群よりも像側に、正屈折力の第３正レンズ群が配置され、
前記第３正レンズ群は、負屈折力の物体側副群と、正屈折力の像側副群と、からなり、
前記物体側副群と前記像側副群は、前記第３正レンズ群中で最も長い空気間隔を挟んで配置され、
前記第１負レンズ群と前記第２正レンズ群は、望遠端において、それぞれ前記絞りの近くに位置し、
変倍時、隣り合う前記レンズ群の間隔はいずれも変化することを特徴とする付記項１から８の何れか１項に記載の撮像装置。
（付記項１６）
合焦時、前記第３正レンズ群に含まれるいずれかのレンズが、光軸に沿う方向に移動することを特徴とする付記項１５に記載の撮像装置。
（付記項１７）
ブレ補正時、前記第３正レンズ群に含まれるいずれかのレンズが、像のブレを打ち消す方向に偏心移動することを特徴とする付記項１５に記載の撮像装置。
（付記項１８）
合焦時、前記第２正レンズ群が光軸に沿う方向に移動することを特徴とする付記項１から８、１５のいずれか１項に記載の撮像装置。
（付記項１９）
前記第１負レンズ群は、負屈折力の第１負レンズと、正屈折力の第１正レンズと、を有し、
前記第１負レンズは、最も物体側に配置され、
前記第１正レンズは、前記第１負レンズよりも像側に、所定の距離だけ離れて配置され、
前記第１負レンズと前記第１正レンズは、それぞれ非球面を有し、
以下の条件式（１１）を満足することを特徴とする付記項１から１７の何れか１項に記載の撮像装置。
−０．４５≦ＡＳＰ1NP≦−０．０８      （１１）
ただし、
ＡＳＰ1NP＝ＡＳＰ1NPo＋ＡＳＰ1NPiであり、
ＡＳＰ1NPoは、前記第１正レンズの物体側のレンズ面の非球面偏倚量、
ＡＳＰ1NPiは、前記第１正レンズの像側のレンズ面の非球面偏倚量、であって、
非球面偏倚量は、望遠端における明るさ絞りの最大光線入射高と同じ光軸からの高さにおいて、光軸に平行な方向に測ったときの参照球面から該レンズ面までの距離であり、像側方向を正符号とし、
参照球面は、前記レンズ面の面頂と同じ面頂を持ち、該レンズ面の近軸曲率半径を曲率半径とする球面、
である。
（付記項２０）
以下の条件式（１３）を満足することを特徴とする付記項１から１９の何れか１項に記
載の撮像装置。
４．０≦Ｌw／｜ｆ1Po｜≦７．５      （１３）
ただし、
ｆ1Poは、前記第１正レンズ群物体側系の焦点距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
（付記項２１）
変倍時及び合焦時、前記第１正レンズ群から前記撮像素子までの距離は、常に一定であることを特徴とする付記項１から２０の何れか１項に記載の撮像装置。
（付記項２２）
前記第１負レンズ群は、負屈折力の第１負レンズと、第２レンズと、を有し、
前記第１負レンズは、最も物体側に配置され、
前記第２レンズは、前記第１負レンズよりも像側に、所定の距離だけ離れて配置され、
以下の条件式（１４）を満足することを特徴とする付記項１から２１の何れか1項に記
載の撮像装置。
０．１５≦Ｌ1Nair／ＩＨt≦０．７      （１４）
ただし、
Ｌ1Nairは、前記第１負レンズから前記第２レンズまでの光軸に沿った空気間隔、
ＩＨtは、望遠端において無限遠物体に合焦した時の最大像高、
である。
（付記項２３）
以下の条件式（１５）を満足することを特徴とする付記項１から２２の何れか１項に記載の撮像装置。
０．７５≦｜ｆ1P／ｆ1Po｜≦１．８      （１５）
ただし、
ｆ1Pは、前記第１正レンズ群の焦点距離、
ｆ1Poは、前記第１正レンズ群物体側系の焦点距離、
である。
（付記項２４）
以下の条件式（９−１）を満足することを特徴とする付記項１から２３の何れか１項に記載の撮像装置。
１．５≦｜ｆ1Po／ＩＨt｜≦３．６      （９−１）
ただし、
ｆ1Poは、前記第１正レンズ群物体側系の焦点距離、
ＩＨtは、望遠端において無限遠物体に合焦した時の最大像高、
である。
（付記項２５）
以下の条件式（１６）を満足することを特徴とする付記項１から２４の何れか１項に記載の撮像装置。
０．３７≦ｆ1N／ｆ1Po≦０．９      ・・・（１６）
ただし、
ｆ1Nは、前記第１負レンズ群の焦点距離、
ｆ1Poは、前記第１正レンズ群物体側系の焦点距離、
である。
（付記項２６）
以下の条件式（１７）を満足することを特徴とする付記項１から２５の何れか１項に記載の撮像装置。
−２８≦ＤＴ≦−１３      （１７）
ただし、
ＤＴ＝（ＩＨw−ｆw×ｔａｎωw）／（ｆw×ｔａｎωw）×１００であり（単位は％）、
ＩＨwは、広角端において無限遠物体に合焦した時の最大像高、
ｆwは、広角端において無限遠物体に合焦した時の前記ズームレンズ全系の焦点距離、
ωwは、広角端において無限遠物体に合焦した時の最大半画角、
である。
（付記項２７）
以下の条件式（１８）を満足することを特徴とする付記項１から２６の何れか１項に記載の撮像装置。
−０．０５≦ｆw／ｒ1F≦０．０８５      （１８）
ただし、
ｆwは、広角端において無限遠物体に合焦した時の前記ズームレンズ全系の焦点距離、
ｒ1Fは、前記第１正レンズ群物体側系中の最も物体側のレンズの物体側面の近軸曲率半径、
である。
（付記項２８）
前記第１正レンズ群は、前記反射部材よりも物体側に１枚の負レンズを有し、且つ、前記反射部材よりも物体側のレンズの総数は１であることを特徴とする付記項１から２７の何れか１項に記載の撮像装置。
（付記項２９）
前記第１正レンズ群は、前記反射部材よりも物体側にガラスの負レンズを有し、
以下の条件式（１９）を満足することを特徴とする付記項１から２７の何れか１項に記載の撮像装置。
１．９≦ｎｄ1PN≦２．４      （１９）
ただし、
ｎｄ1PNは、前記ガラスの負レンズのｄ線における屈折率、
である。
（付記項３０）
前記反射部材はプリズムであることを特徴とする付記項１から２９の何れか１項に記載の撮像装置。
（付記項３１）
以下の条件式（２０）、（２１）を満足することを特徴とする付記項３０に記載の撮像装置。
１５≦νｄpri≦３０      （２０）
１．８≦ｎｄpri≦２．３      （２１）
ただし、
νｄpriは、前記プリズムのｄ線基準のアッベ数、
ｎｄpriは、前記プリズムのｄ線における屈折率、
である。
（付記項３２）
変倍時及び合焦時、前記絞りは静止していることを特徴とする付記項１から３１の何れか１項に記載の撮像装置。
（付記項３３）
前記第１負レンズ群と前記第２正レンズ群との間に、正レンズが配置され、
変倍時及び合焦時、前記絞りと前記正レンズは静止していることを特徴とする付記項１から８の何れか１項に記載の撮像装置。
（付記項３４）
前記反射部材はパワーレスのプリズムであり、
以下の条件式（２２）を満足することを特徴とする付記項１から３２の何れか１項に記載の撮像装置。
５．６≦ｔａｎωw／（Ｌpri／Ｌw）≦  ９．５      ・・・（２２）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
である。
（付記項３５）
ωw≧４２度であり、
前記反射部材はプリズムであり、
以下の条件式（２３）、（２４）を満足することを特徴とする付記項１から３４の何れか１項に記載の撮像装置。
０．５５≦（τ４２０）A      （２３）
０．４７≧（τ４００）A      （２４）
ただし、
τ４２０は、前記プリズムを構成する材料の厚さ１０ｍｍにおける波長４２０ｎｍ光の内部透過率、
τ４００は、前記プリズムを構成する材料の厚さ１０ｍｍにおける波長４００ｎｍ光の内部透過率、
Ａ＝Ｐｄ／１０ｍｍであり、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
である。
（付記項３６）
前記第１正レンズ群像側系が、以下の条件式（２５）を満足することを特徴とする付記項１から３５の何れか１項に記載の撮像装置。
２．０≦ｆ1Pi×ｆw／ＩＨt2≦３．０      （２５）
ただし、
ｆ1Piは、前記第１正レンズ群像側系の焦点距離、
ｆwは、広角端において無限遠物体に合焦した時の前記ズームレンズ全系の焦点距離、
ＩＨtは、望遠端において無限遠物体に合焦した時の最大像高、
である。
【符号の説明】
【０２９９】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｓ…明るさ（開口）絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
0005959294.tif 000002
【図２】
0005959294.tif 000003
【図３】
0005959294.tif 000004
【図４】
0005959294.tif 000005
【図５】
0005959294.tif 000006
【図６】
0005959294.tif 000007
【図７】
0005959294.tif 000008
【図８】
0005959294.tif 000009
【図９】
0005959294.tif 000010
【図１０】
0005959294.tif 000011
【図１１】
0005959294.tif 000012
【図１２】
0005959294.tif 000013
【図１３】
0005959294.tif 000014
【図１４】
0005959294.tif 000015
【図１５】
0005959294.tif 000016
【図１６】
0005959294.tif 000017
【図１７】
0005959294.tif 000018
【図１８】
0005959294.tif 000019
【図１９】
0005959294.tif 000020
【図２０】
0005959294.tif 000021
【図２１】
0005959294.tif 000022
【図２２】
0005959294.tif 000023
【図２３】
0005959294.tif 000024